(57)【要約】【課題】全ての要素周波数帯域について、確実な周波数スケジューリング、及び適応変調及び符号化を行うことができること。【解決手段】  上りリンク制御データ生成部が、下りリンク要素周波数帯域各々について、下りリンク要素周波数帯域の受信品質を示すチャネル品質指標を生成する。チャネル品質指標対応付け切替部が、上りリンク要素周波数帯域各々と上りリンク制御データ生成部が生成する下りリンク要素周波数帯域各々のチャネル品質指標との対応付けを示すチャネル品質指標対応付け情報を、予め定めた対応付け切替周期の経過前後で対応付けが異なるチャネル品質指標対応付け情報に決定する。送信処理部が、上りリンク制御データ生成部が生成した下りリンク要素周波数帯域各々のチャネル品質指標を、チャネル品質指標対応付け切替部が決定したチャネル品質指標対応付け情報で対応付けられる上りリンク要素周波数帯域に配置して基地局装置に送信する。【選択図】図１１
2010212892.tif 000002
【特許請求の範囲】
【請求項１】
予め定められた周波数帯域幅の帯域である下りリンク要素周波数帯域を複数用いて基地局装置からの送信信号を受信する移動局装置と、予め定められた周波数帯域幅の帯域である上りリンク要素周波数帯域を複数用いて前記移動局装置からの送信信号を受信する基地局装置と、を具備する無線通信システムであって、
前記移動局装置は、
前記下りリンク要素周波数帯域各々について、前記下りリンク要素周波数帯域の受信品質を示すチャネル品質指標を生成する上りリンク制御データ生成部と、
前記上りリンク要素周波数帯域各々と前記上りリンク制御データ生成部が生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定するチャネル品質指標対応付け切替部と、
前記上りリンク制御データ生成部が生成した下りリンク要素周波数帯域各々のチャネル品質指標を、前記チャネル品質指標対応付け切替部が決定したチャネル品質指標対応付け情報で対応付けられる前記上りリンク要素周波数帯域に配置して前記基地局装置に送信する送信処理部と、
を備えることを特徴とする無線通信システム。
【請求項２】
前記基地局装置は、
前記チャネル品質指標対応付けを切り替えるか否かを示すチャネル品質指標配置対応付け切替情報を生成する上りリンク制御チャネル配置決定部と、
前記上りリンク制御チャネル配置決定部が生成したチャネル品質指標配置対応付け切替情報を前記移動局装置へ送信する送信処理部と、
を備え、
前記チャネル品質指標対応付け切替部は、前記基地局装置から受信したチャネル品質指標配置対応付け切替情報が前記チャネル品質指標対応付けを切り替えることを示す場合に、前記対応付けが異なるチャネル品質指標対応付け情報に決定することを特徴とする請求項１に記載の無線通信システム。
【請求項３】
前記チャネル品質指標対応付け切替部は、前記基地局装置から受信したチャネル品質指標配置対応付け切替情報が前記チャネル品質指標対応付けを切り替えないことを示す場合に、予め定めた対応付け切替周期の経過前後で前記対応付けが同一のチャネル品質指標対応付け情報に決定することを特徴とする請求項２に記載の無線通信システム。
【請求項４】
前記基地局装置は、
前記対応付け切替周期を示すチャネル品質指標配置対応付け切替情報を生成する上りリンク制御チャネル配置決定部と、
前記上りリンク制御チャネル配置決定部が生成したチャネル品質指標配置対応付け切替情報を前記移動局装置へ送信する送信処理部と、
を備え、
前記チャネル品質指標対応付け切替部は、前記基地局装置から受信したチャネル品質指標配置対応付け切替情報が示す対応付け切替周期の経過前後で前記対応付けが異なるチャネル品質指標対応付け情報に決定することを特徴とする請求項１に記載の無線通信システム。
【請求項５】
前記チャネル品質指標対応付け切替部は、前記対応付け切替周期を、前記チャネル品質指標を配置可能な無線リソースの割り当て周期の整数倍の周期として、前記チャネル品質指標対応付け情報を決定することを特徴とする請求項１に記載の無線通信システム。
【請求項６】
前記上りリンク制御データ生成部は、情報データを配置して送信する無線リソースの割り当てを前記基地局装置に対して要求するスケジューリング要求を生成し、
前記送信処理部は、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないことを特徴とする請求項１に記載の無線通信システム。
【請求項７】
前記上りリンク制御データ生成部は、情報データを配置して送信する無線リソースの割り当てを前記基地局装置に対して要求するスケジューリング要求を生成し、
前記移動局装置の送信処理部は、前記上りリンク制御データ生成部が前記スケジューリング要求を生成したとき、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースに前記上りリンク制御データ生成部が生成したスケジューリング要求を配置し、前記チャネル品質指標を配置しないことを特徴とする請求項１に記載の無線通信システム。
【請求項８】
前記チャネル品質指標対応付け切替部は、前記対応付け切替周期を、スケジューリング要求を配置可能な無線リソースの割り当て周期の整数倍の周期として、前記チャネル品質指標対応付け情報を決定することを特徴とする請求項６又は請求項７に記載の無線通信システム。
【請求項９】
前記チャネル品質指標対応付け切替部は、ｎ番目の前記上りリンク要素周波数帯域とｍ番目の前記下りリンク要素周波数帯域のチャネル品質指標との対応付けを示すチャネル品質指標対応付け情報を、前記対応付け切替周期の経過後に、ｎ番目の前記上りリンク要素周波数帯域ｎとｍ＋１番目或いはｍ−１番目のいずれかの前記下りリンク要素周波数帯域のチャネル品質指標との対応付けを示すチャネル品質指標対応付け情報に決定することを特徴とする請求項１に記載の無線通信システム。
【請求項１０】
予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置において、
前記下りリンク要素周波数帯域各々について、前記下りリンク要素周波数帯域の受信品質を示すチャネル品質指標を生成する上りリンク制御データ生成部と、
前記上りリンク要素周波数帯域各々と前記上りリンク制御データ生成部が生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定するチャネル品質指標対応付け切替部と、
前記上りリンク制御データ生成部が生成した下りリンク要素周波数帯域各々のチャネル品質指標を、前記チャネル品質指標対応付け切替部が決定したチャネル品質指標対応付け情報で対応付けられる前記上りリンク要素周波数帯域に配置して前記基地局装置に送信する送信処理部と、
を備えることを特徴とする移動局装置。
【請求項１１】
前記移動局装置は、前記チャネル品質指標対応付けを切り替えるか否かを示すチャネル品質指標配置対応付け切替情報を、前記基地局装置から受信し、
前記チャネル品質指標対応付け切替部は、前記基地局装置から受信したチャネル品質指標配置対応付け切替情報が前記チャネル品質指標対応付けを切り替えることを示す場合に、前記対応付けが異なるチャネル品質指標対応付け情報に決定することを特徴とする請求項１０に記載の移動局装置。
【請求項１２】
前記チャネル品質指標対応付け切替部は、前記基地局装置から受信したチャネル品質指標配置対応付け切替情報が前記チャネル品質指標対応付けを切り替えないことを示す場合に、予め定めた対応付け切替周期の経過前後で前記対応付けが同一のチャネル品質指標対応付け情報に決定することを特徴とする請求項１１に記載の移動局装置。
【請求項１３】
前記移動局装置は、前記対応付け切替周期を示すチャネル品質指標配置対応付け切替情報を、前記基地局装置から受信し、
前記チャネル品質指標対応付け切替部は、前記基地局装置から受信したチャネル品質指標配置対応付け切替情報が示す対応付け切替周期の経過前後で前記対応付けが異なるチャネル品質指標対応付け情報に決定することを特徴とする請求項１０に記載の移動局装置。
【請求項１４】
前記チャネル品質指標対応付け切替部は、前記対応付け切替周期を、前記チャネル品質指標を配置可能な無線リソースの割り当て周期の整数倍の周期として、前記チャネル品質指標対応付け情報を決定することを特徴とする請求項１０に記載の移動局装置。
【請求項１５】
前記上りリンク制御データ生成部は、情報データを配置して送信する無線リソースの割り当てを前記基地局装置に対して要求するスケジューリング要求を生成し、
前記送信処理部は、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないことを特徴とする請求項１０に記載の移動局装置。
【請求項１６】
前記上りリンク制御データ生成部は、情報データを配置して送信する無線リソースの割り当てを前記基地局装置に対して要求するスケジューリング要求を生成し、
前記移動局装置の送信処理部は、前記上りリンク制御データ生成部が前記スケジューリング要求を生成したとき、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースに前記上りリンク制御データ生成部が生成したスケジューリング要求を配置し、前記チャネル品質指標を配置しないことを特徴とする請求項１０に記載の移動局装置。
【請求項１７】
前記チャネル品質指標対応付け切替部は、前記対応付け切替周期を、スケジューリング要求を配置可能な無線リソースの割り当て周期の整数倍の周期として、前記チャネル品質指標対応付け情報を決定することを特徴とする請求項１５又は請求項１６に記載の移動局装置。
【請求項１８】
前記チャネル品質指標対応付け切替部は、ｎ番目の前記上りリンク要素周波数帯域とｍ番目の前記下りリンク要素周波数帯域のチャネル品質指標との対応付けを示すチャネル品質指標対応付け情報を、前記対応付け切替周期の経過後に、ｎ番目の前記上りリンク要素周波数帯域ｎとｍ＋１番目或いはｍ−１番目のいずれかの前記下りリンク要素周波数帯域のチャネル品質指標との対応付けを示すチャネル品質指標対応付け情報に決定することを特徴とする請求項１０に記載の移動局装置。
【請求項１９】
予め定められた周波数帯域幅の帯域である下りリンク要素周波数帯域を複数用いて移動局装置へ送信信号を送信し、予め定められた周波数帯域幅の帯域である上りリンク要素周波数帯域を複数用いて前記移動局装置からの送信信号を受信する基地局装置において、
前記上りリンク要素周波数帯域各々と前記下りリンク要素周波数帯域各々の受信品質を示すチャネル品質指標との対応付けを制御するチャネル品質指標配置対応付け切替情報を生成して前記移動局装置へ送信させる上りリンク制御チャネル配置決定部を備えることを特徴とする基地局装置。
【請求項２０】
前記上りリンク制御チャネル配置決定部は、前記チャネル品質指標対応付けを切り替えるか否かを示すチャネル品質指標配置対応付け切替情報を生成し、
前記上りリンク制御チャネル配置決定部が生成したチャネル品質指標配置対応付け切替情報を前記移動局装置へ送信する送信処理部を備えることを特徴とする請求項１９に記載の基地局装置。
【請求項２１】
前記上りリンク制御チャネル配置決定部は、前記チャネル品質指標対応付けを経過前後で前記対応付けが異なるチャネル品質指標対応付けに決定する対応付け切替周期を示す情報を生成し、
前記上りリンク制御チャネル配置決定部が生成したチャネル品質指標配置対応付け切替情報を前記移動局装置へ送信する送信処理部を備えることを特徴とする請求項１９に記載の基地局装置。
【請求項２２】
予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置における通信制御方法において、
前記移動局装置が、前記下りリンク要素周波数帯域各々について、前記下りリンク要素周波数帯域の受信品質を示すチャネル品質指標を生成する第１の過程と、
前記上りリンク要素周波数帯域各々と前記第１の過程にて生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定する第２の過程と、
前記第１の過程にて生成した下りリンク要素周波数帯域各々のチャネル品質指標を、前記第２の過程にて決定したチャネル品質指標対応付け情報で対応付けられる前記上りリンク要素周波数帯域に配置して前記基地局装置に送信する第３の過程と、
を有することを特徴とする通信制御方法。
【請求項２３】
予め定められた周波数帯域幅の帯域である下りリンク要素周波数帯域を複数用いて移動局装置へ送信信号を送信し、予め定められた周波数帯域幅の帯域である上りリンク要素周波数帯域を複数用いて前記移動局装置からの送信信号を受信する基地局装置における通信制御方法であって、
前記基地局装置が、前記上りリンク要素周波数帯域各々と前記下りリンク要素周波数帯域各々の受信品質を示すチャネル品質指標との対応付けを制御するチャネル品質指標配置対応付け切替情報を生成して前記移動局装置へ送信させる過程を有することを特徴とする通信制御方法。
【請求項２４】
予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置のコンピュータを、
前記下りリンク要素周波数帯域各々について、前記下りリンク要素周波数帯域の受信品質を示すチャネル品質指標を生成する上りリンク制御データ生成手段、
前記上りリンク要素周波数帯域各々と前記上りリンク制御データ生成手段にて生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定するチャネル品質指標対応付け切替手段、
前記上りリンク制御データ生成手段にて生成した下りリンク要素周波数帯域各々のチャネル品質指標を、前記チャネル品質指標対応付け切替手段にて決定したチャネル品質指標対応付け情報で対応付けられる前記上りリンク要素周波数帯域に配置して前記基地局装置に送信する送信処理手段、
として機能させる通信制御プログラム。
【請求項２５】
予め定められた周波数帯域幅の帯域である下りリンク要素周波数帯域を複数用いて移動局装置へ送信信号を送信し、予め定められた周波数帯域幅の帯域である上りリンク要素周波数帯域を複数用いて前記移動局装置からの送信信号を受信する基地局装置のコンピュータを、
前記上りリンク要素周波数帯域各々と前記下りリンク要素周波数帯域各々の受信品質を示すチャネル品質指標との対応付けを制御するチャネル品質指標配置対応付け切替情報を生成して前記移動局装置へ送信させる上りリンク制御チャネル配置決定手段として機能させる通信制御プログラム。
【発明の詳細な説明】
【技術分野】
【０００１】
本発明は、無線通信システム、移動局装置、基地局装置、通信制御方法、及び通信制御プログラムに関する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。
【０００３】
ＥＵＴＲＡの基地局装置から移動局装置への通信方向である下りリンクにおいて、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が適用されている。また、ＥＵＴＲＡの移動局装置から基地局装置への通信方向である上りリンクにおいて、シングルキャリア送信であるＤＦＴ（Ｄｉｓｃｒｅｔｅ  Ｆｏｕｒｉｅｒ  Ｔｒａｎｓｆｏｒｍ；離散フーリエ変換）−Ｓｐｒｅａｄ  ＯＦＤＭ方式が適用されている。
【０００４】
＜上りリンクチャネル構成＞
以下、ＥＵＴＲＡにおける上りリンク無線フレームの概略構成を説明する。図２３は、従来技術に係る移動局装置から基地局装置への上りリンク無線フレームの概略構成を示す図である。この図において、横軸は時間領域、縦軸は周波数領域を表している。
上りリンク無線フレームは、上りリンクリソースブロックペア（時間周波数帯域）から構成される。この上りリンクリソースブロックペアは、移動局装置各々に対する無線リソース割り当て単位であり、予め決められた幅の周波数帯および時間帯からなる。１個の上りリンクリソースブロックペアは、時間領域で連続する２個の上りリンクリソースブロックから構成される。また、この図において、１個の上りリンクリソースブロックは、周波数領域において１２個の上りリンクサブキャリアから構成され、時間領域において７個のＳＣ−ＦＤＭＡシンボル（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）から構成される。上りリンクシステム帯域幅は、基地局装置の上りリンクの通信帯域幅である。
【０００５】
また、図２３において、時間領域には、７個のＳＣ−ＦＤＭＡシンボルから構成される上りリンクスロット、２個の上りリンクスロットから構成される上りリンクサブフレーム、１０個の上りリンクサブフレームから構成される上りリンク無線フレームがある。なお、時間方向については、１個の上りリンクサブフレームが、上りリンクの移動局装置各々に対する無線リソース割り当ての時間方向の単位である時間フレームである。また、１個の上りリンクサブキャリアと１個のＳＣ−ＦＤＭＡシンボルから構成されるユニットを上りリンクリソースエレメントと呼ぶ。また、上りリンク無線フレームでは上りリンクシステム帯域幅に応じて複数の上りリンクリソースブロックが配置される。
【０００６】
各上りリンクサブフレームには少なくとも、情報データの送信に用いる上りリンク共有データチャネル、制御データの送信に用いる上りリンク制御チャネルが配置される。図２３において、白抜きの領域は上りリンク共有データチャネルを示し、格子状にハッチングされた領域は、上りリンク制御チャネルを示す。なお、この図において、縦線でハッチングされた領域は、上りリンクパイロットチャネルを示す。
上りリンク制御チャネルは、下りリンクのチャネル品質指標ＣＱＩ（Ｃｈａｎｎｅｌ  Ｑｕａｌｉｔｙ  Ｉｎｄｉｃａｔｏｒ）、スケジューリング要求ＳＲ（Ｓｃｈｅｄｕｌｉｎｇ  Ｒｅｑｕｅｓｔ）、又は、下りリンク共有データチャネルに対する受信応答ＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）のいずれかからなる制御データ信号を１個の上りリンクリソースブロックペアに配置して送信する。下りリンクのチャネル品質指標ＣＱＩ、及びスケジューリング要求ＳＲの詳細については、後述する。
また、この上りリンク制御チャネルに用いる上りリンクリソースブロックペアは、上りリンクシステム帯域幅の帯域の両端の上りリンクリソースブロックペアであり、周波数領域に対称関係にある上りリンクリソースブロックから構成される。例えば、図２３において、上りリンクリソースブロックＸ１１、Ｘ１２をあわせて、１個の上りリンクリソースブロックペアが構成される。
【０００７】
＜チャネル品質指標ＣＱＩ、スケジューリング要求ＳＲ＞
以下、ＥＵＴＲＡのチャネル品質指標ＣＱＩについて説明する。
チャネル品質指標ＣＱＩは、移動局装置が、基地局装置から受信した下りリンクパイロットチャネルの下りリンク参照信号を用いて受信品質を測定した測定結果であり、移動局装置各々について下りリンクシステム帯域の受信品質を示す情報である。移動局装置は、予め基地局装置より割り当てられた上りリンク制御チャネルを用いて、チャネル品質指標ＣＱＩを基地局装置に周期的に送信する。なお、基地局装置は、移動局装置との通信接続開始時に、その移動局装置がチャネル品質指標ＣＱＩを配置するための周期的な無線リソース（以下、ＣＱＩ配置可能制御チャネルという）を割り当てる。
【０００８】
基地局装置は、移動局装置から受信したチャネル品質指標ＣＱＩを用いて、移動局装置に対する下りリンク共有データチャネルの無線リソース割り当て（周波数スケジューリング）、下りリンク共有データチャネルの変調方式・符号化率の選択（適応変調及び符号化）を行う。例えば、基地局装置は、移動局装置に対してチャネル品質指標ＣＱＩが良好な下りリンクリソースブロックに下りリンク共有データチャネルを割り当てる。また、基地局装置は、チャネル品質指標ＣＱＩに応じて下りリンク共有データチャネルの変調方式をＱＰＳＫ（Ｑｕａｄｒａｔｕｒｅ  Ｐｈａｓｅ  Ｓｈｉｆｔ  Ｋｅｙｉｎｇ；４相位相偏移変調）、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）の中から設定する。
【０００９】
以下、ＥＵＴＲＡのスケジューリング要求ＳＲについて説明する。
スケジューリング要求ＳＲは、移動局装置が基地局装置に対して、上りリンク共有データチャネルの無線リソースの割り当てを要求する情報である。移動局装置は、自装置のバッファに送信する情報データが溜まってきて、上りリンク共有データチャネルの無線リソースの割り当てを要求する場合に、スケジューリング要求ＳＲを送信する。移動局装置は、予め基地局装置より割り当てられた上りリンク制御チャネルを用いて、スケジューリング要求ＳＲを基地局装置に送信する。なお、基地局装置は、移動局装置との通信接続開始時に、その移動局装置がスケジューリング要求ＳＲを配置するための周期的な無線リソース（以下、ＳＲ配置可能制御チャネルという）を割り当てる。
【００１０】
以下、ＣＱＩ配置可能制御チャネル及びＳＲ配置可能制御チャネルの割り当て方法について説明をする。
図２４は、従来技術に係るＣＱＩ配置可能制御チャネル及びＳＲ配置可能制御チャネルの時間領域における割り当ての一例を示す概略図である。この図は、図２３の上りリンクサブフレーム単位の時間領域を示した図であり、横軸は時間を示す。
【００１１】
図２４において、符号ＣＱＩ、ＳＲを付した矩形は、それぞれ、ＣＱＩ配置可能制御チャネル、ＳＲ配置可能制御チャネルを示す。
この図は、基地局装置が移動局装置に対して、２個の上りリンクサブフレーム毎（上りリンクサブフレーム１、３、５、７、・・・）に、ＣＱＩ配置可能制御チャネルを割り当てたことを示す。また、この図は、基地局装置が移動局装置に対して、４個の上りリンクサブフレーム毎（上りリンクサブフレーム１、５、９、１３、・・・）に、ＳＲ配置可能制御チャネルを割り当てたことを示す。
【００１２】
ところで、従来の無線通信システムにおいて、移動局装置の送信電力のＰＡＰＲ（Ｐｅａｋ−ｔｏ−Ａｖｅｒａｇｅ  Ｐｏｗｅｒ  Ｒａｔｉｏ；ピーク電力対平均電力比）が増大することを防止するため、上りリンクではシングルキャリア（例えば、ＤＦＴ−Ｓｐｒｅａｄ  ＯＦＤＭ方式）であること（以下、シングルキャリア属性という）を確保することが求められる。仮に、移動局装置が、１個の上りリンクサブフレームの上りリンク制御チャネルに、２個以上の制御データ信号（例えば、チャネル品質指標ＣＱＩとスケジューリング要求ＳＲ）を配置して送信すると、送信信号はマルチキャリア信号となり、ＰＡＰＲが増大してしまう。
そのため、移動局装置は、スケジューリング要求ＳＲを送信するとき、スケジューリング要求ＳＲを配置する上りリンクサブフレームの上りリンク制御チャネルに、チャネル品質指標ＣＱＩも配置する予定である場合、重要度の高いスケジューリング要求ＳＲのみをこの上りリンクサブフレームの上りリンク制御チャネルに配置して送信する。つまり、このとき、移動局装置は、スケジューリング要求ＳＲを配置する上りリンクサブフレームでは、チャネル品質指標ＣＱＩを配置しない。
【００１３】
例えば、図２４において、鎖線で囲んだ上りリンクサブフレーム５は、ＣＱＩ配置可能制御チャネル及びＳＲ配置可能制御チャネルの両方を含んでいる（上りリンクサブフレーム１、９、１３、１７についても同じである）。移動局装置は、上りリンクサブフレーム５の上りリンク制御チャネルにスケジューリング要求ＳＲを配置する場合、上りリンクサブフレーム５の上りリンク制御チャネルにチャネル品質指標ＣＱＩを配置しない。なお、逆に、移動局装置は、上りリンクサブフレーム５の上りリンク制御チャネルにスケジューリング要求ＳＲを配置しない場合、つまり、基地局装置へ送信する情報データが溜まっていない場合、上りリンクサブフレーム５の上りリンク制御チャネルにチャネル品質指標ＣＱＩを配置する。
【００１４】
＜要素周波数帯域＞
一方、３ＧＰＰにおいて、セルラー移動通信の第四世代（４ｔｈ  Ｇｅｎｅｒａｔｉｏｎ；第４世代、以下、「４Ｇ」という）無線アクセス方式（Ａｄｖａｎｃｅｄ  ＥＵＴＲＡ；以下、「Ａ−ＥＵＴＲＡ」という）および、４Ｇネットワーク（Ａｄｖａｎｃｅｄ  ＥＵＴＲＡＮ）の検討が開始されている。
Ａ−ＥＵＴＲＡでは、ＥＵＴＲＡよりも広い周波数帯域に対応すること、およびＥＵＴＲＡとの互換性（ｃｏｍｐａｔｉｂｉｌｉｔｙ）を確保することが検討されている。このため、Ａ−ＥＵＴＲＡでは、基地局装置がＥＵＴＲＡの周波数帯域を一単位（要素周波数帯域）として、複数の要素周波数帯域から構成されるシステム帯域を用いた通信を行う技術（周波数帯域集約：Ｓｐｅｃｔｒｕｍ  ａｇｇｒｅｇａｔｉｏｎ、または、キャリア集約：Ｃａｒｒｉｅｒ  ａｇｇｒｅｇａｔｉｏｎと呼称することがある。）が検討されている（なお、要素周波数帯域をキャリア要素：Ｃａｒｒｉｅｒ  Ｃｏｍｐｏｎｅｎｔ、または、コンポーネントキャリア：Ｃｏｍｐｏｎｅｎｔ  ｃａｒｒｉｅｒと呼称することもある。）（非特許文献１）。この技術では、基地局装置は、ＥＵＴＲＡに対応した移動局装置と何れか１個の要素周波数帯域を用いて通信を行ない、Ａ−ＥＵＴＲＡに対応した移動局装置と１個以上の要素周波数帯域を用いて通信を行なう。
【先行技術文献】
【非特許文献】
【００１５】
【非特許文献１】３ＧＰＰ  ＴＳＧ  ＲＡＮ１  ＃５４ｂｉｓ、Ｐｒａｇｕｅ、Ｃｚｅｃｈ  Ｒｅｐｕｂｌｉｃ、２９−３  Ｓｅｐｔｅｍｂｅｒ、２００８、Ｒ１−０８３６７７“Ｕｐｄａｔｅｄ  Ｖｉｅｗｓ  ｏｎ  Ｓｕｐｐｏｒｔ  ｏｆ  Ｗｉｄｅｒ  Ｂａｎｄｗｉｄｔｈ  ｉｎ  ＬＴＥ−Ａｄｖａｎｃｅｄ”
【発明の概要】
【発明が解決しようとする課題】
【００１６】
ところで、Ａ−ＥＵＴＲＡにおいても、ＥＵＴＲＡの場合と同様に、基地局装置は、移動局装置から下りリンクのチャネル品質指標ＣＱＩを受信して、これらの受信した情報に基づいて、周波数スケジューリング、適応変調、及び符号化を行う。また、基地局装置がＥＵＴＲＡ対応の移動局装置及びＡ−ＥＵＴＲＡ対応の移動局装置の双方と通信可能とする互換性確保の観点から、Ａ−ＥＵＴＲＡのシステム帯域を構成する複数の要素周波数帯域各々の無線フレームの構成は、ＥＵＴＲＡのシステム帯域の無線フレームの構成と同じであることが好ましい。
しかしながら、ＥＵＴＲＡのシステム帯域の無線フレームの構成をそのままＡ−ＥＵＴＲＡでの要素周波数帯域各々に適用したとき、移動局装置は、連続してスケジューリング要求ＳＲを配置している場合等、下りリンクの要素周波数帯域各々の受信品質を示す下りリンクのチャネル品質指標ＣＱＩのうち同じ下りリンクの要素周波数帯域のチャネル品質指標ＣＱＩを連続して送信できない場合がある。この場合、基地局装置は、長期間にわたって、同じ下りリンクの要素周波数帯域のチャネル品質指標ＣＱＩを得ることができず、当該下りリンクの要素周波数帯域について確実な周波数スケジューリング、適応変調、及び符号化を行うことができないという欠点がある。
【００１７】
本発明は上記の点に鑑みてなされたものであり、その目的は、全ての要素周波数帯域について、確実な周波数スケジューリング、及び適応変調及び符号化を行うことができる無線通信システム、移動局装置、基地局装置、通信制御方法、及び通信制御プログラムを提供することにある。
【課題を解決するための手段】
【００１８】
（１）本発明は上記の課題を解決するためになされたものであり、本発明は、予め定められた周波数帯域幅の帯域である下りリンク要素周波数帯域を複数用いて基地局装置からの送信信号を受信する移動局装置と、予め定められた周波数帯域幅の帯域である上りリンク要素周波数帯域を複数用いて前記移動局装置からの送信信号を受信する基地局装置と、を具備する無線通信システムであって、前記移動局装置は、前記下りリンク要素周波数帯域各々について、前記下りリンク要素周波数帯域の受信品質を示すチャネル品質指標を生成する上りリンク制御データ生成部と、前記上りリンク要素周波数帯域各々と前記上りリンク制御データ生成部が生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定するチャネル品質指標対応付け切替部と、前記上りリンク制御データ生成部が生成した下りリンク要素周波数帯域各々のチャネル品質指標を、前記チャネル品質指標対応付け切替部が決定したチャネル品質指標対応付け情報で対応付けられる前記上りリンク要素周波数帯域に配置して前記基地局装置に送信する送信処理部と、を備えることを特徴とする無線通信システムである。
上記構成によると、前記無線通信システムは、前記移動局装置が前記チャネル品質指標対応付け情報を、予め定めた対応付け切替周期の経過前後で前記対応付けが異なるチャネル品質指標対応付け情報に決定するので、移動局装置が上りリンク要素周波数帯域に対応付け切替周期の経過前後で異なる下りリンク要素周波数帯域の受信品質を示すチャネル品質指標を配置して送信することができる。これにより、一の上りリンク要素周波数帯域で前記チャネル品質指標を送信できない場合であっても、他の上りリンク要素周波数帯域に対応付け切替周期の経過前後で異なる下りリンク要素周波数帯域の受信品質を示すチャネル品質指標を配置して送信することができ、基地局装置が、全ての下りリンク要素周波数帯域のチャネル品質指標に基づいて、全ての要素周波数帯域について確実な周波数スケジューリング、適応変調、及び符号化を行うことができる。
【００１９】
（２）また、本発明は、上記の無線通信システムにおいて、前記基地局装置は、前記チャネル品質指標対応付けを切り替えるか否かを示すチャネル品質指標配置対応付け切替情報を生成する上りリンク制御チャネル配置決定部と、前記上りリンク制御チャネル配置決定部が生成したチャネル品質指標配置対応付け切替情報を前記移動局装置へ送信する送信処理部と、を備え、前記チャネル品質指標対応付け切替部は、前記基地局装置から受信したチャネル品質指標配置対応付け切替情報が前記チャネル品質指標対応付けを切り替えることを示す場合に、前記対応付けが異なるチャネル品質指標対応付け情報に決定することを特徴とする。
【００２０】
（３）また、本発明は、上記の無線通信システムにおいて、前記チャネル品質指標対応付け切替部は、前記基地局装置から受信したチャネル品質指標配置対応付け切替情報が前記チャネル品質指標対応付けを切り替えないことを示す場合に、予め定めた対応付け切替周期の経過前後で前記対応付けが同一のチャネル品質指標対応付け情報に決定することを特徴とする。
上記構成によると、前記無線通信システムは、前記基地局装置が前記チャネル品質指標対応付けを切り替えるか否かを制御することができ、例えば、前記基地局装置と前記移動局装置との通信に用いる下りリンク要素周波数帯域の数が１個の場合にＣＱＩ配置対応付けを切り替えないように制御をすることができる。これにより、前記無線通信システムは、前記チャネル品質指標対応付けを切り替えることにより通信に用いない下りリンク要素周波数帯域のチャネル品質指標が送信されることを防止することができ、通信に用いる下りリンク要素周波数帯域のチャネル品質指標の伝送効率が低下することを防止することができる。
【００２１】
（４）また、本発明は、上記の無線通信システムにおいて、前記基地局装置は、前記対応付け切替周期を示すチャネル品質指標配置対応付け切替情報を生成する上りリンク制御チャネル配置決定部と、前記上りリンク制御チャネル配置決定部が生成したチャネル品質指標配置対応付け切替情報を前記移動局装置へ送信する送信処理部と、を備え、前記チャネル品質指標対応付け切替部は、前記基地局装置から受信したチャネル品質指標配置対応付け切替情報が示す対応付け切替周期の経過前後で前記対応付けが異なるチャネル品質指標対応付け情報に決定することを特徴とする。
上記構成によると、前記無線通信システムは、前記基地局装置が前記対応付け切替周期を示すチャネル品質指標配置対応付け切替情報を生成するので、前記移動局装置において前記対応付け切替周期を算出することなく確実にチャネル品質指標対応付けを切り替えることでき、前記移動局装置が行う処理を軽減することができる。
【００２２】
（５）また、本発明は、上記の無線通信システムにおいて、前記チャネル品質指標対応付け切替部は、前記対応付け切替周期を、前記チャネル品質指標を配置可能な無線リソースの割り当て周期の整数倍の周期として、前記チャネル品質指標対応付け情報を決定することを特徴とする。
【００２３】
（６）また、本発明は、上記の無線通信システムにおいて、前記上りリンク制御データ生成部は、情報データを配置して送信する無線リソースの割り当てを前記基地局装置に対して要求するスケジューリング要求を生成し、前記送信処理部は、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないことを特徴とする。
上記構成によると、前記無線通信システムは、前記移動局装置が前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないので、前記スケジューリング要求を迅速かつ確実に送信することができ、前記移動局装置での情報データあふれによる情報データの損失等を防止することができる。
【００２４】
（７）また、本発明は、上記の無線通信システムにおいて、前記上りリンク制御データ生成部は、情報データを配置して送信する無線リソースの割り当てを前記基地局装置に対して要求するスケジューリング要求を生成し、前記移動局装置の送信処理部は、前記上りリンク制御データ生成部が前記スケジューリング要求を生成したとき、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースに前記上りリンク制御データ生成部が生成したスケジューリング要求を配置し、前記チャネル品質指標を配置しないことを特徴とする。
上記構成によると、前記無線通信システムは、前記移動局装置が前記スケジューリング要求を生成したとき、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースに生成したスケジューリング要求を配置し、前記チャネル品質指標を配置しないので、前記スケジューリング要求を迅速かつ確実に送信することができ、前記移動局装置での情報データあふれによる情報データの損失等を防止することができる。
【００２５】
（８）また、本発明は、上記の無線通信システムにおいて、前記チャネル品質指標対応付け切替部は、前記対応付け切替周期を、スケジューリング要求を配置可能な無線リソースの割り当て周期の整数倍の周期として、前記チャネル品質指標対応付け情報を決定することを特徴とする。
【００２６】
（９）また、本発明は、上記の無線通信システムにおいて、前記チャネル品質指標対応付け切替部は、ｎ番目の前記上りリンク要素周波数帯域とｍ番目の前記下りリンク要素周波数帯域のチャネル品質指標との対応付けを示すチャネル品質指標対応付け情報を、前記対応付け切替周期の経過後に、ｎ番目の前記上りリンク要素周波数帯域ｎとｍ＋１番目或いはｍ−１番目のいずれかの前記下りリンク要素周波数帯域のチャネル品質指標との対応付けを示すチャネル品質指標対応付け情報に決定することを特徴とする。
【００２７】
（１０）また、本発明は、予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置において、前記下りリンク要素周波数帯域各々について、前記下りリンク要素周波数帯域の受信品質を示すチャネル品質指標を生成する上りリンク制御データ生成部と、前記上りリンク要素周波数帯域各々と前記上りリンク制御データ生成部が生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定するチャネル品質指標対応付け切替部と、前記上りリンク制御データ生成部が生成した下りリンク要素周波数帯域各々のチャネル品質指標を、前記チャネル品質指標対応付け切替部が決定したチャネル品質指標対応付け情報で対応付けられる前記上りリンク要素周波数帯域に配置して前記基地局装置に送信する送信処理部と、を備えることを特徴とする移動局装置である。
【００２８】
（１１）また、本発明は、上記の移動局装置において、前記移動局装置は、前記チャネル品質指標対応付けを切り替えるか否かを示すチャネル品質指標配置対応付け切替情報を、前記基地局装置から受信し、前記チャネル品質指標対応付け切替部は、前記基地局装置から受信したチャネル品質指標配置対応付け切替情報が前記チャネル品質指標対応付けを切り替えることを示す場合に、前記対応付けが異なるチャネル品質指標対応付け情報に決定することを特徴とする。
【００２９】
（１２）また、本発明は、上記の移動局装置において、前記チャネル品質指標対応付け切替部は、前記基地局装置から受信したチャネル品質指標配置対応付け切替情報が前記チャネル品質指標対応付けを切り替えないことを示す場合に、予め定めた対応付け切替周期の経過前後で前記対応付けが同一のチャネル品質指標対応付け情報に決定することを特徴とする。
【００３０】
（１３）また、本発明は、上記の移動局装置において、前記移動局装置は、前記対応付け切替周期を示すチャネル品質指標配置対応付け切替情報を、前記基地局装置から受信し、前記チャネル品質指標対応付け切替部は、前記基地局装置から受信したチャネル品質指標配置対応付け切替情報が示す対応付け切替周期の経過前後で前記対応付けが異なるチャネル品質指標対応付け情報に決定することを特徴とする。
【００３１】
（１４）また、本発明は、上記の移動局装置において、前記チャネル品質指標対応付け切替部は、前記対応付け切替周期を、前記チャネル品質指標を配置可能な無線リソースの割り当て周期の整数倍の周期として、前記チャネル品質指標対応付け情報を決定することを特徴とする。
【００３２】
（１５）また、本発明は、上記の移動局装置において、前記上りリンク制御データ生成部は、情報データを配置して送信する無線リソースの割り当てを前記基地局装置に対して要求するスケジューリング要求を生成し、前記送信処理部は、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないことを特徴とする。
【００３３】
（１６）また、本発明は、上記の移動局装置において、前記上りリンク制御データ生成部は、情報データを配置して送信する無線リソースの割り当てを前記基地局装置に対して要求するスケジューリング要求を生成し、前記移動局装置の送信処理部は、前記上りリンク制御データ生成部が前記スケジューリング要求を生成したとき、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースに前記上りリンク制御データ生成部が生成したスケジューリング要求を配置し、前記チャネル品質指標を配置しないことを特徴とする。
【００３４】
（１７）また、本発明は、上記の移動局装置において、前記チャネル品質指標対応付け切替部は、前記対応付け切替周期を、スケジューリング要求を配置可能な無線リソースの割り当て周期の整数倍の周期として、前記チャネル品質指標対応付け情報を決定することを特徴とする。
【００３５】
（１８）また、本発明は、上記の移動局装置において、前記チャネル品質指標対応付け切替部は、ｎ番目の前記上りリンク要素周波数帯域とｍ番目の前記下りリンク要素周波数帯域のチャネル品質指標との対応付けを示すチャネル品質指標対応付け情報を、前記対応付け切替周期の経過後に、ｎ番目の前記上りリンク要素周波数帯域ｎとｍ＋１番目或いはｍ−１番目のいずれかの前記下りリンク要素周波数帯域のチャネル品質指標との対応付けを示すチャネル品質指標対応付け情報に決定することを特徴とする。
【００３６】
（１９）また、本発明は、予め定められた周波数帯域幅の帯域である下りリンク要素周波数帯域を複数用いて移動局装置へ送信信号を送信し、予め定められた周波数帯域幅の帯域である上りリンク要素周波数帯域を複数用いて前記移動局装置からの送信信号を受信する基地局装置において、前記上りリンク要素周波数帯域各々と前記下りリンク要素周波数帯域各々の受信品質を示すチャネル品質指標との対応付けを制御するチャネル品質指標配置対応付け切替情報を生成して前記移動局装置へ送信させる上りリンク制御チャネル配置決定部を備えることを特徴とする基地局装置である。
【００３７】
（２０）また、本発明は、上記の基地局装置において、前記上りリンク制御チャネル配置決定部は、前記チャネル品質指標対応付けを切り替えるか否かを示すチャネル品質指標配置対応付け切替情報を生成し、前記上りリンク制御チャネル配置決定部が生成したチャネル品質指標配置対応付け切替情報を前記移動局装置へ送信する送信処理部を備えることを特徴とする。
【００３８】
（２１）また、本発明は、上記の基地局装置において、前記上りリンク制御チャネル配置決定部は、前記チャネル品質指標対応付けを経過前後で前記対応付けが異なるチャネル品質指標対応付けに決定する対応付け切替周期を示す情報を生成し、前記上りリンク制御チャネル配置決定部が生成したチャネル品質指標配置対応付け切替情報を前記移動局装置へ送信する送信処理部を備えることを特徴とする。
【００３９】
（２２）また、本発明は、予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置における通信制御方法において、前記移動局装置が、前記下りリンク要素周波数帯域各々について、前記下りリンク要素周波数帯域の受信品質を示すチャネル品質指標を生成する第１の過程と、前記上りリンク要素周波数帯域各々と前記第１の過程にて生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定する第２の過程と、前記第１の過程にて生成した下りリンク要素周波数帯域各々のチャネル品質指標を、前記第２の過程にて決定したチャネル品質指標対応付け情報で対応付けられる前記上りリンク要素周波数帯域に配置して前記基地局装置に送信する第３の過程と、を有することを特徴とする通信制御方法である。
【００４０】
（２３）また、本発明は、予め定められた周波数帯域幅の帯域である下りリンク要素周波数帯域を複数用いて移動局装置へ送信信号を送信し、予め定められた周波数帯域幅の帯域である上りリンク要素周波数帯域を複数用いて前記移動局装置からの送信信号を受信する基地局装置における通信制御方法であって、前記基地局装置が、前記上りリンク要素周波数帯域各々と前記下りリンク要素周波数帯域各々の受信品質を示すチャネル品質指標との対応付けを制御するチャネル品質指標配置対応付け切替情報を生成して前記移動局装置へ送信させる過程を有することを特徴とする通信制御方法である。
【００４１】
（２４）また、本発明は、予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置のコンピュータを、前記下りリンク要素周波数帯域各々について、前記下りリンク要素周波数帯域の受信品質を示すチャネル品質指標を生成する上りリンク制御データ生成手段、前記上りリンク要素周波数帯域各々と前記上りリンク制御データ生成手段にて生成する下りリンク要素周波数帯域各々のチャネル品質指標との対応付けを示すチャネル品質指標対応付け情報を、予め定めた対応付け切替周期の経過前後で前記対応付けが異なるチャネル品質指標対応付け情報に決定するチャネル品質指標対応付け切替手段、前記上りリンク制御データ生成手段にて生成した下りリンク要素周波数帯域各々のチャネル品質指標を、前記チャネル品質指標対応付け切替手段にて決定したチャネル品質指標対応付け情報で対応付けられる前記上りリンク要素周波数帯域に配置して前記基地局装置に送信する送信処理手段、として機能させる通信制御プログラムである。
【００４２】
（２５）また、本発明は、予め定められた周波数帯域幅の帯域である下りリンク要素周波数帯域を複数用いて移動局装置へ送信信号を送信し、予め定められた周波数帯域幅の帯域である上りリンク要素周波数帯域を複数用いて前記移動局装置からの送信信号を受信する基地局装置のコンピュータを、前記上りリンク要素周波数帯域各々と前記下りリンク要素周波数帯域各々の受信品質を示すチャネル品質指標との対応付けを制御するチャネル品質指標配置対応付け切替情報を生成して前記移動局装置へ送信させる上りリンク制御チャネル配置決定手段として機能させる通信制御プログラムである。
【発明の効果】
【００４３】
本発明によれば、移動局装置が上りリンク要素周波数帯域に対応付け切替周期の経過前後で異なる下りリンク要素周波数帯域の受信品質を示すチャネル品質指標を配置して送信することができる。これにより、一の上りリンク要素周波数帯域で前記チャネル品質指標を送信できない場合であっても、他の上りリンク要素周波数帯域に対応付け切替周期の経過前後で異なる下りリンク要素周波数帯域の受信品質を示すチャネル品質指標を配置して送信することができ、基地局装置が、全ての下りリンク要素周波数帯域のチャネル品質指標に基づいて、全ての要素周波数帯域について確実な周波数スケジューリング、適応変調、及び符号化を行うことができる。
【図面の簡単な説明】
【００４４】
【図１】この発明の第１の実施形態に係る無線通信システムの全体像についての概略を説明する図である。
【図２】本実施形態に係る基地局装置から移動局装置への下りリンク無線フレームの概略構成を示す図である。
【図３】本実施形態に係る移動局装置から基地局装置への上りリンク無線フレームの概略構成を示す図である。
【図４】本実施形態に係るチャネル品質指標ＣＱＩの一例について説明をする図である。
【図５】本実施形態に係るＣＱＩ配置可能制御チャネル及びＳＲ配置可能制御チャネルの時間領域における割り当ての一例を示す概略図である。
【図６】本実施形態に係るＣＱＩ配置可能制御チャネル及びＳＲ配置可能制御チャネルの周波数領域における割り当ての一例を示す概略図である。
【図７】本実施形態に係る基地局装置の構成を示す概略ブロック図である。
【図８】本実施形態に係るＣＱＩ配置対応付け情報の一例を示す図である。
【図９】本実施形態に係る基地局装置の送信処理部の構成を示す概略ブロック図である。
【図１０】本実施形態に係る基地局装置の受信処理部の構成を示す概略ブロック図である。
【図１１】本実施形態に係る移動局装置の構成を示す概略ブロック図である。
【図１２】本実施形態に係る移動局装置の受信処理部の構成を示す概略ブロック図である。
【図１３】本実施形態に係る移動局装置の送信処理部の構成を示す概略ブロック図である。
【図１４】本実施形態に係るＣＱＩ配置対応付けの一例を示す概略図である。
【図１５】ＣＱＩ配置対応付けの切り替えを行わない場合のＣＱＩ配置対応付けを示す概略図である。
【図１６】本実施形態に係るＣＱＩ配置対応付けの切り替えを行う場合のＣＱＩ配置対応付けを示す概略図である。
【図１７】本実施形態に係る移動局装置の動作を示すフロー図である。
【図１８】本実施形態に係るＳＲ配置可能上りリンクサブフレーム配置処理の動作を示すフロー図である。
【図１９】本実施形態に係るＣＱＩ配置対応付け情報の別の一例を示す図である。
【図２０】本実施形態に係るＣＱＩ配置対応付け情報の別の一例を示す図である。
【図２１】本実施形態に係るＣＱＩ配置対応付け情報の別の一例を示す図である。
【図２２】本実施形態に係るＣＱＩ配置対応付け情報の別の一例を示す図である。
【図２３】従来技術に係る移動局装置から基地局装置への上りリンク無線フレームの概略構成を示す図である。
【図２４】従来技術に係るＣＱＩ配置可能制御チャネル及びＳＲ配置可能制御チャネルの時間領域における割り当ての一例を示す概略図である。
【発明を実施するための形態】
【００４５】
以下、図面を参照しながら本発明の実施形態について詳しく説明する。図１を用いて、本実施形態に係る無線通信システム１の全体像について説明をする。その後、図２〜図６、図１４〜図１６を用いて本実施形態に係る無線フレームの構成、図７、図９〜図１３を用いて本実施形態に係る無線通信システム１の装置の構成について説明をする。また、図８、図１９〜図２２を用いて本実施形態に係るＣＱＩ配置対応付け情報、図１７、図１８を用いて本実施形態に係る無線通信システム１の動作処理について説明をする。
【００４６】
＜無線通信システム１の全体像＞
図１は、この発明の第１の実施形態に係る無線通信システム１の全体像についての概略を説明する図である。
この図が示す無線通信システム１では、基地局装置ＢＳ１と、複数の移動局装置ＵＥ１、ＵＥ２、ＵＥ３とが無線通信を行う。
【００４７】
また、この図は、基地局装置ＢＳ１から移動局装置ＵＥ１、ＵＥ２、ＵＥ３への無線通信の下りリンクが、下りリンクパイロットチャネル、下りリンク制御チャネル、及び下りリンク共有データチャネルを含んで構成されることを示す。また、この図は、移動局装置ＵＥ１、ＵＥ２、ＵＥ３から基地局装置ＢＳ１への無線通信の上りリンクが、上りリンク共有データチャネル、上りリンクパイロットチャネル、及び上りリンク制御チャネルを含んで構成されることを示す。
なお、移動局装置ＵＥ３は、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；３Ｇの進化）に対応した移動局装置であり、後述する要素周波数帯域の１個を用いて基地局装置ＢＳ１と通信を行う移動局装置である。一方、移動局装置ＵＥ１、ＵＥ２は、Ａ−ＥＵＴＲＡ（Ａｄｖａｎｃｅｄ  ＥＵＴＲＡ）に対応した移動局装置であり、１個以上の要素周波数帯域を用いて基地局装置ＢＳ１と通信を行う移動局装置である。
以下、本実施形態において、基地局装置ＢＳ１を基地局装置ａ１といい、移動局装置ＵＥ１、ＵＥ２を移動局装置ｂ１という。
【００４８】
＜下りリンク無線フレームの構成＞
図２は、本実施形態に係る基地局装置ａ１から移動局装置ｂ１への下りリンク無線フレームの概略構成を示す図である。この図において、横軸は時間領域、縦軸は周波数領域を表している。
【００４９】
下りリンク無線フレームは、下りリンクリソースブロックペアから構成される。この下りリンクリソースブロックペアは、無線リソース割り当てなどの単位であって、予め決められた幅の周波数帯および時間帯からなる。１個の下りリンクリソースブロックペアは時間領域で連続する２個の下りリンクリソースブロックから構成される。
また、この図において、１個の下りリンクリソースブロックは、周波数領域において１２個の下りリンクサブキャリアから構成され、時間領域において７個のＯＦＤＭシンボルから構成される。
【００５０】
この図が示す周波数領域において、下りリンクシステム帯域幅は、基地局装置ａ１の下りリンクの通信帯域幅であり、Ａ−ＥＵＴＲＡに対応した移動局装置ｂ１が通信に用いることができる周波数帯域幅である。
また、下りリンクシステム帯域幅の帯域は、Ｎ個の下りリンク要素周波数帯域ｍ（ｍ＝１〜Ｎ）から構成される。この下りリンク要素周波数帯域幅は、予め定められた周波数帯域幅であり、ＥＵＴＲＡに対応した移動局装置ＵＥ３が通信に用いることができる周波数帯域幅である。例えば、６０ＭＨｚの帯域幅の下りリンクシステム帯域は、３個の２０ＭＨｚの帯域幅の下りリンク要素周波数帯域１〜３から構成される。なお、下りリンク要素周波数帯域では下りリンク要素周波数帯域幅に応じて複数の下りリンクリソースブロックが配置される。例えば、２０MHｚの帯域幅の下りリンク要素周波数帯域ｍは、１００個の下りリンクリソースブロックから構成される。
【００５１】
また、この図が示す時間領域において、７個のＯＦＤＭシンボルから構成される下りリンクスロット、２個の下りリンクスロットから構成される下りリンクサブフレーム、１０個の下りリンクサブフレームから構成される下りリンク無線フレームがある。なお、１個の下りリンクサブキャリアと１個のＯＦＤＭシンボルから構成されるユニットを下りリンクリソースエレメントと呼ぶ。
【００５２】
各下りリンクサブフレームには少なくとも、情報データの送信に用いる下りリンク共有データチャネル、制御データの送信に用いる下りリンク制御チャネルが割り当てられる。図２において、白抜きの領域は下りリンク共有データチャネルを示し、横線でハッチングされた領域は、下りリンク制御チャネルを示す。
また、この図において図示は省略するが、下りリンク共有データチャネル及び下りリンク制御チャネルの伝搬路変動の推定に用いる下りリンクパイロットチャネルの下りリンク参照信号が複数の下りリンクリソースエレメントに分散して配置される。ここで、下りリンク参照信号は、下りリンクパイロットチャネルに用いる、無線通信システム１において既知の信号である。
下りリンク制御チャネルには、移動局識別子、下りリンク共有データチャネルの無線リソース割り当て情報、マルチアンテナ関連情報、変調方式、符号化率、再送パラメータなどの制御データから生成された信号が配置される。
【００５３】
＜上りリンク無線フレームの構成＞
図３は、本実施形態に係る移動局装置ｂ１から基地局装置ａ１への上りリンク無線フレームの概略構成を示す図である。この図において、横軸は時間領域、縦軸は周波数領域を表している。
【００５４】
上りリンク無線フレームは、上りリンクリソースブロックペアから構成される。この上りリンクリソースブロックペアは、移動局装置ｂ１各々に対する無線リソース割り当て単位であり、予め決められた幅の周波数帯および時間帯からなる。１個の上りリンクリソースブロックペアは、時間領域で連続する２個の上りリンクリソースブロックから構成される。
また、この図において、１個の上りリンクリソースブロックは、周波数領域において１２個の上りリンクサブキャリアから構成され、時間領域において７個のＳＣ−ＦＤＭＡシンボルから構成される。上りリンクシステム帯域幅は、基地局装置ａ１の上りリンクの通信帯域幅である。
【００５５】
また、この図が示す周波数領域において、上りリンクシステム帯域幅は、基地局装置ａ１の上りリンクの通信帯域幅であり、Ａ−ＥＵＴＲＡに対応した移動局装置ｂ１が通信に用いることができる周波数帯域幅である。
また、上りリンクシステム帯域幅の帯域は、Ｎ個の上りリンク要素周波数帯域ｎ（ｎ＝１〜Ｎ）から構成される（Ｎを要素周波数帯域数という）。この上りリンク要素周波数帯域幅は、予め定められた周波数帯域幅であり、ＥＵＴＲＡに対応した移動局装置ＵＥ３が通信に用いることができる周波数帯域幅である。例えば、６０ＭＨｚの帯域幅の上りリンクシステム帯域は、３個の２０ＭＨｚの帯域幅の上りリンク要素周波数帯域１〜３から構成される。なお、上りリンク要素周波数帯域では上りリンク要素周波数帯域幅に応じて複数の上りリンクリソースブロックが配置される。例えば、２０MHｚの帯域幅の上りリンク要素周波数帯域ｎは、１００個の上りリンクリソースブロックから構成される。
【００５６】
また、この図が示す時間領域において、７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）シンボルから構成される上りリンクスロット、２個の上りリンクスロットから構成される上りリンクサブフレーム（時間帯域）、１０個の上りリンクサブフレームから構成される上りリンク無線フレームがある。なお、１個の上りリンクサブキャリアと１個のＳＣ−ＦＤＭＡシンボルから構成されるユニットを上りリンクリソースエレメントと呼ぶ。
【００５７】
各上りリンクサブフレームには少なくとも、情報データの送信に用いる上りリンク共有データチャネル、制御データの送信に用いる上りリンク制御チャネルが割り当てられる。図２３において、白抜きの領域は上りリンク共有データチャネルを示し、格子状にハッチングされた領域は、上りリンク制御チャネルを示す。
【００５８】
上りリンク制御チャネルでは、下りリンクのチャネル品質指標ＣＱＩ（Ｃｈａｎｎｅｌ  Ｑｕａｌｉｔｙ  Ｉｎｄｉｃａｔｏｒ）、スケジューリング要求ＳＲ（Ｓｃｈｅｄｕｌｉｎｇ  Ｒｅｑｕｅｓｔ）、又は、下りリンク共有データチャネルに対する受信応答ＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）のいずれかからなる制御データ信号が１個の上りリンクリソースブロックペアに配置される。下りリンクのチャネル品質指標ＣＱＩ、及びスケジューリング要求ＳＲの詳細については、後述する。
また、この上りリンク制御チャネルに用いる上りリンクリソースブロックペアは、各上りリンク要素周波数帯域ｎの両端の上りリンクリソースブロックペアであり、周波数領域に対称関係にある上りリンクリソースブロックから構成される。例えば、図３において、上りリンク要素周波数帯域１では、上りリンクリソースブロックＰ１１、Ｐ１２をあわせて、１個の上りリンクリソースブロックペアが構成される。
【００５９】
また、図３において、縦線でハッチングされた領域は、上りリンク共有データチャネル及び上りリンク制御チャネルの伝搬路変動の推定に用いられる上りリンクパイロットチャネルを示す。この図に示すように、上りリンクパイロットチャネルは、上りリンク共有データチャネルと同じ上りリンクリソースブロック内に配置（共有データチャネル配置という）される場合と、上りリンク制御チャネルと同じ上りリンクリソースブロック内に配置（制御チャネル配置という）される場合と、で異なるＳＣ−ＦＤＭＡシンボルに配置される（上りリンクパイロットチャネルの信号を上りリンク参照信号と称す）。
また、制御チャネル配置の場合、上りリンク参照信号は、配置する制御データ信号に応じて異なるＳＣ−ＦＤＭＡシンボルに配置される
【００６０】
具体的には、共有データチャネル配置の場合、上りリンク参照信号は、上りリンクスロット内の４番目のＳＣ−ＦＤＭＡシンボルに配置される。
また、チャネル品質指標ＣＱＩが配置される上りリンクリソースブロック内の制御チャネル配置の場合、上りリンク参照信号は、上りリンクスロット内の２番目と６番目のＳＣ−ＦＤＭＡシンボルに配置される。また、スケジューリング要求ＳＲが配置される上りリンクリソースブロック内の制御チャネル配置の場合、上りリンク参照信号は、上りリンクスロット内の３番目と４番目と５番目のＳＣ−ＦＤＭＡシンボルに配置される。また同様に、受信応答ＡＣＫ／ＮＡＣＫが配置される上りリンクリソースブロック内の制御チャネル配置の場合、上りリンク参照信号は、上りリンクスロット内の３番目と４番目と５番目のＳＣ−ＦＤＭＡシンボルに配置される。
【００６１】
なお、この図では、上りリンク制御チャネルが各上りリンク要素周波数帯域ｎの最も端の上りリンクリソースブロックに割り当てられた場合を示しているが、上りリンク要素周波数帯域ｎの端から２番目、３番目などの上りリンクリソースブロックが上りリンク制御チャネルに用いられる場合もある。
また、本発明の実施形態に係る無線通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、後述する基地局装置ａ１及び移動局装置ｂ１の構成が示すように、上りリンク要素周波数帯域ｎ単位でＤＦＴ−Ｓｐｒｅａｄ  ＯＦＤＭ方式を用いて信号を送受信する方式である。また、ＮｘＤＦＴ−Ｓｐｒｅａｄ  ＯＦＤＭ方式とは、複数の上りリンク要素周波数帯域ｎを用いた無線通信システム１の上りリンクサブフレームにおいて複数のＤＦＴ−Ｓｐｒｅａｄ  ＯＦＤＭ送受信に関する処理部（上りリンク要素周波数帯域毎受信処理部ａ１１−１〜ａ１１−Ｎ、上りリンク要素周波数帯域毎送信処理部ｂ１４１−１〜ｂ１４１−Ｎ）を用いて通信を行なう方式である。
上記のように、本実施形態に係る無線フレームの構成は、下りリンク要素周波数帯域ｍ毎及び上りリンク要素周波数帯域ｎ毎に、ＥＵＴＲＡの無線フレームと同様の構成である。これにより、基地局装置ａ１と移動局装置ＵＥ３とが、同じ下りリンク要素周波数帯域ｍ及び上りリンク要素周波数帯域ｎを用いて通信をすることができる。
【００６２】
＜下りリンクのチャネル品質指標ＣＱＩ、スケジューリング要求ＳＲ＞
以下、チャネル品質指標ＣＱＩ及びスケジューリング要求ＳＲについて説明する。
図４は、本実施形態に係るチャネル品質指標ＣＱＩの一例について説明をする図である。この図は、図２の下りリンクシステム帯域幅の帯域が３個（要素周波数帯域Ｎ＝３）の下りリンク要素周波数帯域１〜３から構成される場合の図であり、横軸は周波数を示す。
【００６３】
チャネル品質指標ＣＱＩは、各移動局装置ｂ１が下りリンク要素周波数帯域ｍ各々について生成する情報であって、下りリンク要素周波数帯域ｍ各々の受信品質を示す情報である。移動局装置ｂ１は、下りリンク要素周波数帯域ｍ各々について、基地局装置ａ１から受信した下りリンクパイロットチャネルの下りリンク参照信号を用いて受信品質を測定してチャネル品質指標ＣＱＩを生成する。以下、下りリンク要素周波数帯域ｍ（ｍ＝１，２、・・・、Ｎ）の受信品質を示すチャネル品質指標ＣＱＩを、下りリンク要素周波数帯域ｍＣＱＩという。
図４は、移動局装置ｂ１が、下りリンク要素周波数帯域１、２、３各々の下りリンクパイロットチャネルの下りリンク参照信号を用いて受信品質を測定し、それぞれ、下りリンク要素周波数帯域１ＣＱＩ、下りリンク要素周波数帯域２ＣＱＩ、下りリンク要素周波数帯域３ＣＱＩを生成することを示す。つまり、１個の下りリンク要素周波数帯域ｍＣＱＩは、１個の下りリンク要素周波数帯域ｍの受信品質を示す情報である。
【００６４】
スケジューリング要求ＳＲは、移動局装置ｂ１が基地局装置ａ１に対して、上りリンク共有データチャネルの無線リソースの割り当てを要求する情報である。移動局装置ｂ１は、自装置のバッファｂ１３に送信する情報データが溜まってきて、上りリンク共有データチャネルの無線リソースの割り当てを要求する場合に、スケジューリング要求ＳＲを送信する。
【００６５】
チャネル品質指標ＣＱＩ及びスケジューリング要求ＳＲは、下りリンクのチャネル品質指標ＣＱＩを配置可能な上りリンク制御チャネルの無線リソース（以下、ＣＱＩ配置可能制御チャネルという）、及びスケジューリング要求ＳＲを配置可能な上りリンク制御チャネルの無線リソース（以下、ＳＲ配置可能制御チャネルという）に配置されて送信される。
【００６６】
図５は、本実施形態に係るＣＱＩ配置可能制御チャネル及びＳＲ配置可能制御チャネルの時間領域における割り当ての一例を示す概略図である。この図は、図３の上りリンクサブフレーム単位の時間領域（上りリンクサブフレームｓ；サブフレーム番号ｓ＝１〜１７）を示した図であり、横軸は時間を示す。
図５において、符号ＣＱＩ、ＳＲを付した矩形は、ＣＱＩ配置可能制御チャネル及びＳＲ配置可能制御チャネルが割り当てられていることを示す。
【００６７】
図５は、基地局装置ａ１が移動局装置ｂ１に対して、２個の上りリンクサブフレーム毎（上りリンクサブフレーム１、３、５、７、・・・）に、ＣＱＩ配置可能制御チャネルを割り当てたことを示す。以下、ＣＱＩ配置可能制御チャネルが割り当てられた周期（この図においては、２個の上りリンクサブフレーム分の時間周期）を、ＣＱＩ配置可能周期Ｔ１（Ｔ１はサブフレーム単位で表わされる数であり、例えば、図５ではＴ１＝２である）という。
また、この図は、基地局装置ａ１が移動局装置ｂ１に対して、６個の上りリンクサブフレーム毎（上りリンクサブフレーム１、７、１３、・・・）に、ＳＲ配置可能制御チャネルを割り当てたことを示す。以下、ＳＲ配置可能制御チャネルが割り当てられた周期（この図においては、６個の上りリンクサブフレーム分の時間周期）を、ＳＲ配置可能周期Ｔ２（Ｔ２はサブフレーム単位で表わされる数であり、例えば、図５ではＴ２＝６である）という。
【００６８】
図５では、６個の上りリンクサブフレーム毎（上りリンクサブフレーム１、７、１３、・・・）に、ＣＱＩ配置可能制御チャネルとＳＲ配置可能制御チャネルとが同じサブフレームに割り当てられている。移動局装置ｂ１は、これらの上りリンクサブフレームの上りリンク要素周波数帯域ｎについて、スケジューリング要求ＳＲを送信する場合には、チャネル品質指標ＣＱＩも配置する予定であっても、重要度の高いスケジューリング要求ＳＲのみを、この上りリンクサブフレームの上りリンク制御チャネルに配置して送信する。つまり、この場合、移動局装置ｂ１は、スケジューリング要求ＳＲを配置する上りリンクサブフレームの上りリンク要素周波数帯域ｎに、チャネル品質指標ＣＱＩを配置しない。
【００６９】
図６は、本実施形態に係るＣＱＩ配置可能制御チャネル及びＳＲ配置可能制御チャネルの周波数領域における割り当ての一例を示す概略図である。また、この図は、図３の上りリンクシステム帯域幅の帯域が３個の上りリンク要素周波数帯域１〜３から構成される場合の図であり、横軸は周波数を示す。また、この図は、図５中の下りリンクサブフレーム１、７、１３の周波数領域を示した図である。
【００７０】
図６において、符号ＣＱＩｎ、ＳＲｎを付した楕円形は、上りリンク要素周波数帯域ｎの制御チャネルの無線リソースを示す。なお、楕円形ＣＱＩ１〜３が図５中の矩形ＣＱＩ、また、楕円形ＳＲ１が図５中の矩形ＳＲに対応する。
図６は、上りリンク要素周波数帯域１〜３に、それぞれ、下りリンク要素周波数帯域１〜３ＣＱＩのいずれか１個を配置するＣＱＩ配置可能制御チャネル１〜３（ＣＱＩ１〜３）が割り当てられていることを示す。
また、ＣＱＩ配置可能制御チャネル１〜３には、それぞれ異なる下りリンク要素周波数帯域ｍＣＱＩが配置される。例えば、ＣＱＩ配置可能制御チャネル１には下りリンク要素周波数帯域１ＣＱＩ、ＣＱＩ配置可能制御チャネル２には下りリンク要素周波数帯域２ＣＱＩ、ＣＱＩ配置可能制御チャネル３には下りリンク要素周波数帯域３ＣＱＩが配置される。
【００７１】
また、図６は、上りリンク要素周波数帯域１に、スケジューリング要求ＳＲ１を配置するＳＲ配置可能制御チャネル１（ＳＲ１）が割り当てられていることを示す。このように、ＳＲ配置可能制御チャネル１は、上りリンクシステム帯域において周波数が一番小さい上りリンク要素周波数帯域１に割り当てられる。ただし、本発明はこれに限らず、ＳＲ配置可能制御チャネルｎが他の帯域に割り当てられてもよいし、複数個（ただし、要素周波数帯域数Ｎ＝３より小さい個数）のＳＲ配置可能制御チャネルｎを割り当ててもよい。
【００７２】
なお、ＣＱＩ配置可能制御チャネル及びＳＲ配置可能制御チャネルは、図３で示した上りリンク制御チャネルに用いる上りリンクリソースブロックペアに対応する。つまり、ＣＱＩ配置可能制御チャネルｎ及びＳＲ配置可能制御チャネルｎは、各上りリンク要素周波数帯域ｎの両端の上りリンクリソースブロックペアであり、周波数領域に対称関係にある上りリンクリソースブロックから構成される。また、ＣＱＩ配置可能制御チャネルｎ及びＳＲ配置可能制御チャネルｎは、同一の上りリンクリソースブロックペアには割り当てられない。
【００７３】
本実施形態では、移動局装置ｂ１は、基地局装置ａ１が予め定めた対応付け切替周期ＴＣ（ＴＣはサブフレーム単位で表わされる数であり、例えば、図５ではＴＣ＝６である）毎に、ＣＱＩ配置可能制御チャネルｎとＣＱＩ配置可能制御チャネルｎに配置する下りリンク要素周波数帯域ｍＣＱＩと、の対応付け情報（チャネル品質指標対応付け情報；以下、ＣＱＩ配置対応付け情報という）を、対応付けが異なるＣＱＩ配置対応付け情報に切り替える。移動局装置ｂ１は、対応付けを切り替えた下りリンク要素周波数帯域ｍＣＱＩを、ＣＱＩ配置可能制御チャネルｎに配置し、基地局装置ａ１に送信をする。移動局装置ｂ１が行うこの切り替え処理（後述するＣＱＩ配置対応付け切り替え処理）の詳細については、後述する。
【００７４】
＜基地局装置ａ１の構成＞
以下、図７、図９、図１０を用いて、本実施形態に係る基地局装置ａ１の構成について説明する。
図７は、本実施形態に係る基地局装置ａ１の構成を示す概略ブロック図である。この図に示すように、基地局装置ａ１は、受信処理部ａ１１、無線リソース制御部ａ１２、制御部ａ１３、及び、送信処理部ａ１４を含んで構成される。
また、この図に示すように、受信処理部ａ１１は、上りリンク制御チャネル検出部ａ１１２７を備える。また、無線リソース制御部ａ１２は、上りリンク制御チャネル配置決定部ａ１２１を備える。また、制御部ａ１３は、上りリンク制御チャネル検出制御部ａ１３１を備える。
【００７５】
受信処理部ａ１１は、制御部ａ１３の指示に従い、後述する受信アンテナａ１５２により移動局装置ｂ１又は移動局装置ＵＥ３から受信した受信信号を復調、復号する。受信処理部ａ１１は、復調、復号して抽出した情報データを上位層に出力する。
ここで、受信処理部ａ１１の上りリンク制御チャネル検出部ａ１１２７は、上りリンク制御チャネル検出制御部ａ１３１の制御に基づき、受信信号の上りリンク制御チャネルを復調、復号して制御データを検出し、検出した制御データ又は生成した制御信号を制御部ａ１３に出力する。
例えば、上りリンク制御チャネル検出部ａ１１２７は、上りリンク要素周波数帯域ｎのＣＱＩ配置可能制御チャネルｎに配置された下りリンク要素周波数帯域ｍＣＱＩを復調、復号し、制御部ａ１３を介して無線リソース制御部ａ１２に出力する。また、上りリンク制御チャネル検出部ａ１１２７は、ＳＲ配置可能制御チャネル１に配置されたスケジューリング要求ＳＲを検出した場合、スケジューリング要求ＳＲを検出したことを示す制御信号を生成し、制御部ａ１３に出力する。上りリンク制御チャネル検出部ａ１１２７を含む受信処理部ａ１１の詳細については、後述する。
【００７６】
無線リソース制御部ａ１２は、制御部ａ１３を介して上りリンク制御チャネル検出部ａ１１２７から入力された下りリンク要素周波数帯域ｍＣＱＩに基づいて、移動局装置ｂ１に対する下りリンク共有データチャネルの無線リソース割り当て（周波数スケジューリング）、下りリンク共有データチャネルの変調方式・符号化率の選択（適応変調及び符号化）、及び送信電力の値の選択を行う。
また、無線リソース制御部ａ１２は、間欠送受信サイクル、下りリンク制御チャネル、上りリンク制御チャネル、上りリンク共有データチャネルの無線リソース割り当てを行う。ここで、無線リソース制御部ａ１２は、上りリンク制御チャネル検出部ａ１１２７からスケジューリング要求ＳＲを検出したことを示す制御信号が入力されると、スケジューリング要求ＳＲを送信した移動局装置ｂ１に対して上りリンク共有データチャネルの無線リソースの割り当てを行う。また、無線リソース制御部ａ１２は、上りリンク共有データチャネルの符号化率・変調方式を選択する。
無線リソース制御部ａ１２は、移動局装置ｂ１各々の送信電力、間欠送受信サイクル、各チャネルの割り当てを示す無線リソース割り当て情報、変調方式・符号化率を含む無線リソース制御情報を制御部ａ１３及び送信処理部ａ１４に出力する。
【００７７】
ここで、上記の上りリンク制御チャネルの無線リソース割り当てについて、無線リソース制御部ａ１２が備える上りリンク制御チャネル配置決定部ａ１２１は、例えば、移動局装置ｂ１との通信接続開始時、この移動局装置ｂ１について、ＣＱＩ配置可能周期Ｔ１及びＳＲ配置可能周期Ｔ２を決定する。
上りリンク制御チャネル配置決定部ａ１２１は、決定したＣＱＩ配置可能周期Ｔ１及びＳＲ配置可能周期Ｔ２を含む無線リソース制御情報を生成する。上りリンク制御チャネル配置決定部ａ１２１は、生成したこの無線リソース制御情報を、移動局装置ｂ１との通信接続開始時に、送信処理部ａ１４を介して移動局装置ｂ１に送信する。また、上りリンク制御チャネル配置決定部ａ１２１は、生成したこの無線リソース制御情報を、上りリンク制御チャネル検出制御部ａ１３１に出力する。
【００７８】
なお、上記の無線リソース割り当てについて、上りリンク制御チャネル配置決定部ａ１２１は、ある上りリンクサブフレームにＣＱＩ配置可能制御チャネルを割り当てる場合、その上りリンクサブフレームの全ての上りリンク要素周波数帯域各々に、ＣＱＩ配置可能制御チャネルを割り当てる。上りリンク制御チャネル配置決定部ａ１２１は、ある上りリンクサブフレームにＳＲ配置可能制御チャネルを割り当てる場合、周波数が一番小さい上りリンク要素周波数帯域１にＳＲ配置可能制御チャネルを割り当てる。このように、ＳＲ配置可能制御チャネルは、１個の上りリンク要素周波数帯域に固定されて割り当てられる。
【００７９】
次に、上りリンク制御チャネル配置決定部ａ１２１が行うＣＱＩ配置対応付け決定処理について説明をする。
上りリンク制御チャネル配置決定部ａ１２１は、ＣＱＩ配置対応付けを切り替えるか否かを決定する。例えば、上りリンク制御チャネル配置決定部ａ１２１は、移動局装置ｂ１との通信に用いる下りリンク要素周波数帯域ｍの数が１個の場合にＣＱＩ配置対応付けを切り替えないことを決定し、２個以上の場合にＣＱＩ配置対応付けを切り替えることを決定する。
【００８０】
また、上りリンク制御チャネル配置決定部ａ１２１は、ＣＱＩ配置可能周期Ｔ１とＳＲ配置可能周期Ｔ２との最小公倍数である周期を、対応付け切替周期ＴＣとして決定する（例えば、図５ではＴＣ＝６）。すなわち、対応付け切替周期ＴＣは、ＣＱＩ配置可能周期Ｔ１の整数倍の周期であり、また、ＳＲ配置可能周期Ｔ２の整数倍の周期である。
【００８１】
上りリンク制御チャネル配置決定部ａ１２１は、決定したＣＱＩ配置対応付けを切り替えるか否かを示す情報、及び対応付け切替周期ＴＣを含むＣＱＩ配置対応付け切替情報を生成する。すなわち、上りリンク制御チャネル配置決定部ａ１２１は、ＣＱＩ配置対応付けの切り替えを制御するＣＱＩ配置対応付け切替情報を生成する。上りリンク制御チャネル配置決定部ａ１２１は、生成したＣＱＩ配置対応付け切替情報を含む無線リソース制御情報を、送信処理部ａ１４を介して移動局装置ｂ１に送信する。また、上りリンク制御チャネル配置決定部ａ１２１は、この無線リソース制御情報を上りリンク制御チャネル検出制御部ａ１３１に出力する。
【００８２】
制御部ａ１３は、無線リソース制御部ａ１２から入力された無線リソース制御情報に基づいて、上りリンク共有データチャネル及び上りリンク制御チャネルの無線リソース割り当て・変調方式・符号化率の情報を受信処理部ａ１１に出力し、受信処理部ａ１１の制御を行なう。また、制御部ａ１３は、無線リソース制御部ａ１２から入力された無線リソース制御情報に基づいて、下りリンク制御チャネルを用いて送信する制御データを生成し、送信処理部ａ１４に出力する。
【００８３】
ここで、上記の受信処理部ａ１１の制御について、制御部ａ１３が備える上りリンク制御チャネル検出制御部ａ１３１は、上りリンク制御チャネル配置決定部ａ１２１から入力された無線リソース制御情報に基づいて、次のように、上りリンク制御チャネル検出部ａ１１２７を制御する。
【００８４】
上りリンク制御チャネル検出制御部ａ１３１は、無線リソース制御情報中のＣＱＩ配置対応付け切替情報がＣＱＩ配置対応付けを切り替えることを示す場合、予め記憶するＣＱＩ配置対応付け情報（図８）を読み出し、読み出した予め記憶するＣＱＩ配置対応付け情報及びＣＱＩ配置対応付け切替情報中の対応付け切替周期ＴＣに基づいて、上りリンク制御チャネル検出部ａ１１２７を制御する。後述するように、この制御は、対応付け切替周期ＴＣ毎にＣＱＩ配置対応付け情報を対応付けが異なるＣＱＩ配置対応付け情報に切り替え、ＣＱＩ配置可能制御チャネルｎから、切り替えたＣＱＩ配置対応付け情報で対応付けられる下りリンク要素周波数帯域ｍＣＱＩを検出させる制御である。
【００８５】
一方、上りリンク制御チャネル検出制御部ａ１３１は、ＣＱＩ配置対応付け切替情報がＣＱＩ配置対応付けを切り替えないことを示す場合、上りリンク制御チャネル検出部ａ１１２７にＣＱＩ配置可能制御チャネルｎから、同じｎで対応付けられた下りリンク要素周波数帯域ｎＣＱＩを検出させる制御を行う。
【００８６】
送信処理部ａ１４は、制御部ａ１３から入力された制御信号に基づき下りリンク制御チャネル、下りリンク共有データチャネルを用いて送信する信号を生成して、送信アンテナａ１５１を介して送信する。具体的に、送信処理部ａ１４は、制御部ａ１３から入力された制御データを下りリンク制御チャネルを用いて送信する。
また、送信処理部ａ１４は、無線リソース制御部ａ１２から入力された無線リソース制御情報等及び上位層から入力された情報データを下りリンク共有データチャネルを用いて送信する。例えば、送信処理部ａ１４は、無線リソース制御部ａ１２から入力された無線リソース制御情報を、下りリンク共有データチャネルを用いて送信する。送信処理部ａ１４の詳細については、後述する。
なお、説明の簡略化のため、以降、下りリンク共有データチャネルを用いて送信する情報を情報データといい、情報データは無線リソース制御情報を含むものとする。
【００８７】
＜ＣＱＩ配置対応付け情報＞
図８は、本実施形態に係るＣＱＩ配置対応付け情報の一例を示す図である。
図示するように、ＣＱＩ配置対応付け情報は、行と列からなる２次元の表形式のデータであり、ＣＱＩ配置可能制御チャネル、第１周期、第２周期、及び第３周期の各項目の列を有している。
ここで、第１周期、第２周期、及び第３周期の項目は、それぞれ、無線フレームでの対応付け切替周期ＴＣの第１周期、第２周期、及び第３周期において、ＣＱＩ配置可能制御チャネルに対応する下りリンク要素周波数帯域ＣＱＩを示す。また、第ｚ周期（ｚ＝１、２、３）は、以下の式（１）で表わされる。
【００８８】
【数１】
2010212892.tif 000003
【００８９】
ただし、（Ａ  ｍｏｄ  Ｂ）はＡをＢで除算した余りを示し、ｔはｓ／ＴＣ以下の最大の整数、ｓは上りリンクサブフレーム番号、Ｎは要素周波数帯域数（図８の例では、Ｎ＝３）を示す。例えば、図５において、ＴＣ＝６であり、上りリンクサブフレーム１〜６が第１周期、上りリンクサブフレーム７〜１２が第２周期、上りリンクサブフレーム１３〜１８が第３周期であり、図５で図示されていないが、上りリンクサブフレーム１９〜２４が第１周期である。
【００９０】
例えば、図８は、第１周期において、ＣＱＩ配置可能制御チャネル１、２、３に対して、それぞれ、下りリンク要素周波数帯域１、２、３ＣＱＩが対応付けられていることを示す。また、図８は、第２周期において、ＣＱＩ配置可能制御チャネル１、２、３に対して、それぞれ、下りリンク要素周波数帯域２、３、１ＣＱＩが対応付けられていることを示す。
このように、ＣＱＩ配置対応付け情報は、対応付け切替周期ＴＣ毎（第ｚ周期毎）にＣＱＩ配置対応付けが切り替えられ、対応付け切替周期ＴＣ経過前後で対応付けが異なるＣＱＩ配置対応付け情報になっていることを示す。
【００９１】
＜基地局装置ａ１の送信処理部ａ１４の構成＞
以下、基地局装置ａ１の送信処理部ａ１４の詳細について説明をする。
図９は、本実施形態に係る基地局装置ａ１の送信処理部ａ１４の構成を示す概略ブロック図である。
【００９２】
この図に示すように、送信処理部ａ１４は、複数の下りリンク共有データチャネル処理部ａ１４１−１〜ａ１４１−ｉ、複数の下りリンク制御チャネル処理部ａ１４２−１〜ａ１４２−ｊ、下りリンクパイロットチャネル処理部ａ１４３１、多重部ａ１４３２、ＩＦＦＴ（Ｉｎｖｅｒｓｅ  Ｆａｓｔ  Ｆｏｕｒｉｅｒ  Ｔｒａｎｓｆｏｒｍ；高速逆フーリエ変換）部ａ１４３３、ＧＩ（Ｇｕａｒｄ  Ｉｎｔｅｒｖａｌ；ガードインターバル）挿入部ａ１４３４、Ｄ／Ａ（Ｄｉｇｉｔａｌ／Ａｎａｌｏｇ；ディジタルアナログ変換）部ａ１４３５、送信ＲＦ（Ｒａｄｉｏ  Ｆｒｅｑｕｅｎｃｙ；無線周波数）部ａ１４３６を含んで構成され、送信アンテナａ１５１に接続されている。
なお、各下りリンク共有データチャネル処理部ａ１４１−１〜ａ１４１−ｉ、各下りリンク制御チャネル処理部ａ１４２−１〜ａ１４２−ｊは、それぞれ、同様の構成及び機能を有するので、その一つ（下りリンク共有データチャネル処理部ａ１４１−１、下りリンク制御チャネル処理部ａ１４２−１）を代表して説明する。
【００９３】
また、この図に示すように、下りリンク共有データチャネル処理部ａ１４１−１は、ターボ符号部ａ１４１１及びデータ変調部ａ１４１２を備える。また、下りリンク制御チャネル処理部ａ１４２−１は、畳み込み符号部ａ１４２１及びＱＰＳＫ（Ｑｕａｄｒａｔｕｒｅ  Ｐｈａｓｅ  Ｓｈｉｆｔ  Ｋｅｙｉｎｇ；４相位相偏移変調）変調部ａ１４２２を備える。
【００９４】
下りリンク共有データチャネル処理部ａ１４１−１は、移動局装置ｂ１への情報データをＯＦＤＭ方式で伝送するためのベースバンド信号処理を行う。
ターボ符号部ａ１４１１は、入力された情報データを、制御部ａ１３から入力された符号化率で、データの誤り耐性を高めるためのターボ符号化を行い、データ変調部ａ１４１２に出力する。
データ変調部ａ１４１２は、ターボ符号部ａ１４１１が符号化した符号データを、制御部ａ１３から入力された変調方式、例えば、ＱＰＳＫ、１６ＱＡＭ、６４ＱＡＭ（６４値直交振幅変調）のような変調方式で変調し、変調シンボルの信号系列を生成する。データ変調部ａ１４１２は、生成した信号系列を、多重部ａ１４３２に出力する。
【００９５】
下りリンク制御チャネル処理部ａ１４２−１は、制御部ａ１３から入力された制御データを、ＯＦＤＭ方式で伝送するためのベースバンド信号処理を行う。
畳み込み符号部ａ１４２１は、制御部ａ１３から入力された制御情報の符号化率に基づき、制御データの誤り耐性を高めるための畳み込み符号化を行う。ここで、制御データはビット単位で制御される。また、畳み込み符号部ａ１４２１は、制御部ａ１３から入力された符号化率に基づき、畳み込み符号化処理を行なったビットに対して出力ビットの数を調整するためにレートマッチングも行なう。
畳み込み符号部ａ１４２１は、符号化した制御データをＱＰＳＫ変調部ａ１４２２に出力する。
ＱＰＳＫ変調部ａ１４２２は、畳み込み符号部ａ１４２１が符号化した制御データを、ＱＰＳＫ変調方式で変調した変調シンボルの信号系列を、多重部ａ１４３２に出力する。
【００９６】
下りリンクパイロットチャネル処理部ａ１４３１は、移動局装置ｂ１において既知の信号である下りリンク参照信号を生成し、多重部ａ１４３２に出力する。
多重部ａ１４３２は、下りリンクパイロットチャネル処理部ａ１４３１から入力された信号と、下りリンク共有データチャネル処理部ａ１４１−１〜ａ１４１−ｉ各々から入力された信号と、下りリンク制御チャネル処理部ａ１４２−１〜ａ１４２−ｊ各々から入力された信号とを、制御部ａ１３からの制御に従って、下りリンク無線フレームに多重する。
【００９７】
なお、多重部ａ１４３２は、下りリンク共有データチャネルと下りリンク制御チャネル間の多重を、図２に示したように時間多重で行う。また、多重部ａ１４３２は、下りリンクパイロットチャネルと、その他のチャネル間の多重は時間・周波数多重で行う。また、多重部ａ１４３２は、各移動局装置ｂ１宛ての下りリンク共有データチャネルの多重を下りリンクリソースブロックペア単位で行い、１個の移動局装置ｂ１に対して複数の下りリンクリソースブロックペアを用いて下りリンク共有データチャネルを多重することもある。また、多重部ａ１４３２は、各移動局装置ｂ１宛ての下りリンク制御チャネルの多重を、下りリンク要素周波数帯域内においてばらばらに分散したリソースエレメントを複数用いて行う。
多重部ａ１４３２は、多重化した信号を、ＩＦＦＴ部ａ１４３３に出力する。
【００９８】
ＩＦＦＴ部ａ１４３３は、多重部ａ１４３２が多重化した信号を高速逆フーリエ変換し、ＯＦＤＭ方式の変調を行い、ＧＩ挿入部ａ１４３４に出力する。
ＧＩ挿入部ａ１４３４は、ＩＦＦＴ部ａ１４３３がＯＦＤＭ方式の変調を行った信号に、ガードインターバルを付加することで、ＯＦＤＭ方式におけるシンボルからなるベースバンドのディジタル信号を生成する。周知のように、ガードインターバルは、伝送するシンボルの先頭又は末尾の一部を複製することによって生成される。ＧＩ挿入部ａ１４３４は、生成したベースバンドのディジタル信号をＤ／Ａ部ａ１４３５に出力する。
Ｄ／Ａ部ａ１４３５は、ＧＩ挿入部ａ１４３４から入力されたベースバンドのディジタル信号をアナログ信号に変換し、送信ＲＦ部ａ１４３６に出力する。
送信ＲＦ部ａ１４３６は、Ｄ／Ａ部ａ１４３５から入力されたアナログ信号から、中間周波数の同相成分及び直交成分を生成し、中間周波数帯域に対する余分な周波数成分を除去する。次に、送信ＲＦ部ａ１４３６は、中間周波数の信号を高周波数の信号に変換（アップコンバート）し、余分な周波数成分を除去し、電力増幅し、送信アンテナａ１５１を介して、移動局装置ｂ１に送信する。
【００９９】
＜基地局装置ａ１の受信処理部ａ１１の構成＞
以下、基地局装置ａ１の受信処理部ａ１１の詳細について説明をする。
図１０は、本実施形態に係る基地局装置ａ１の受信処理部ａ１１の構成を示す概略ブロック図である。
【０１００】
この図に示すように、受信処理部ａ１１は、受信ＲＦ部ａ１１１１、Ａ／Ｄ（Ａｎａｌｏｇ／Ｄｉｇｉｔａｌ；アナログディジタル変換）部ａ１１１２、要素周波数帯域分離部ａ１１１３、複数の上りリンク要素周波数帯域毎受信処理部ａ１１−１〜ａ１１−Ｎ、を含んで構成され、受信アンテナａ１５２に接続されている。
【０１０１】
上りリンク要素周波数帯域毎受信処理部ａ１１−ｎ（ｎ＝１〜Ｎ）は、上りリンク要素周波数帯域ｎ毎に設けられ、それぞれ、同様の構成及び機能を有するので、その一つ（上りリンク要素周波数帯域毎受信処理部ａ１１−１）を代表して説明する。
また、この図に示すように、上りリンク要素周波数帯域毎受信処理部ａ１１−１は、シンボルタイミング検出部ａ１１２１、ＧＩ除去部ａ１１２２、ＦＦＴ部ａ１１２３、サブキャリアデマッピング部ａ１１２４、伝搬路推定部ａ１１２５、上りリンク制御チャネル用の伝搬路等化部ａ１１２６、上りリンク制御チャネル検出部ａ１１２７、上りリンク共有データチャネル用の伝搬路等化部ａ１１２８、ＩＤＦＴ部ａ１１２９、データ復調部ａ１１３０、及び、ターボ復号部ａ１１３１を備える。
【０１０２】
受信ＲＦ部ａ１１１１は、受信アンテナａ１５２で受信した信号を、適切に増幅し、中間周波数に変換（ダウンコンバート）する。受信ＲＦ部ａ１１１１は、中間周波数の信号から不要な周波数成分を除去し、信号レベルが適切に維持されるように増幅レベルを制御し、受信した信号の同相成分及び直交成分に基づいて、直交復調する。受信ＲＦ部ａ１１１１は、直交復調したアナログ信号を、Ａ／Ｄ部ａ１１１２に出力する。
Ａ／Ｄ部ａ１１１２は、受信ＲＦ部ａ１１１１が直交復調したアナログ信号をディジタル信号に変換し、変換したディジタル信号を、要素周波数帯域分離部ａ１１１３に出力する。
要素周波数帯域分離部ａ１１１３は、上りリンクシステム帯域幅の上りリンク要素周波数帯域ｎ毎に受信信号を分離し、分離した上りリンク要素周波数帯域ｎの受信信号を、それぞれ、上りリンク要素周波数帯域毎受信処理部ａ１１−ｎに出力する。
【０１０３】
上りリンク要素周波数帯域毎受信処理部ａ１１−ｎは、それぞれ、要素周波数帯域分離部ａ１１１３から入力された上りリンク要素周波数帯域１〜Ｎの受信信号内の上りリンク共有データチャネル、上りリンク制御チャネルの復調、復号を行ない、情報データ、制御データを検出する。
シンボルタイミング検出部ａ１１２１は、要素周波数帯域分離部ａ１１１３より入力された信号に基づいて、シンボルのタイミングを検出し、検出したシンボル境界のタイミングを示す制御信号を、ＧＩ除去部ａ１１２２に出力する。
ＧＩ除去部ａ１１２２は、シンボルタイミング検出部ａ１１２１からの制御信号に基づいて、要素周波数帯域分離部ａ１１１３より入力された信号からガードインターバルに相当する部分を除去し、残りの部分の信号を、ＦＦＴ部ａ１１２３に出力する。
【０１０４】
ＦＦＴ部ａ１１２３は、ＧＩ除去部ａ１１２２から入力された信号を高速フーリエ変換し、ＤＦＴ−Ｓｐｒｅａｄ−ＯＦＤＭ方式の復調を行い、サブキャリアデマッピング部ａ１１２４に出力する。なお、ＦＦＴ部ａ１１２３のポイント数は、後述する移動局装置ｂ１のＩＦＦＴ部ｂ１４１７のポイント数と等しい。
サブキャリアデマッピング部ａ１１２４は、制御部ａ１３から入力された無線リソース割り当て情報に基づき、ＦＦＴ部ａ１１２３が復調した信号を、上りリンクパイロットチャネルの信号と、上りリンク共有データチャネルの信号と、上りリンク制御チャネルの信号とに分離する。サブキャリアデマッピング部ａ１１２４は、分離した上りリンクパイロットチャネルの信号を伝搬路推定部ａ１１２５に出力する。また、サブキャリアデマッピング部ａ１１２４は、分離した上りリンク制御チャネルの信号を、伝搬路等化部ａ１１２８に出力する。
【０１０５】
また、サブキャリアデマッピング部ａ１１２４は、上りリンク制御チャネルが配置される無線リソースの候補がいくつかある場合、制御部ａ１３から入力された制御信号に基づき、全ての候補の上りリンク制御チャネルの信号を上りリンク制御チャネル用の伝搬路等化部ａ１１２６に出力する。
【０１０６】
伝搬路推定部ａ１１２５は、サブキャリアデマッピング部ａ１１２４が分離した上りリンクパイロットチャネルの上りリンク参照信号と既知の信号を用いて伝搬路の変動を推定する。伝搬路推定部ａ１１２５は、推定した伝搬路推定値を、伝搬路等化部ａ１１２６及び伝搬路等化部ａ１１２８に出力する。なお、この伝搬路推定値はサブキャリア毎に出力される。  
伝搬路等化部ａ１１２６は、サブキャリアデマッピング部ａ１１２４が分離した上りリンク制御チャネルの信号の振幅及び位相を、伝搬路推定部ａ１１２５から入力された伝搬路推定値に基づいて等化する。伝搬路等化部ａ１１２６は、等化した信号を上りリンク制御チャネル検出部ａ１１２７に出力する。
【０１０７】
上りリンク制御チャネル検出部ａ１１２７は、伝搬路等化部ａ１１２６から入力された信号を送信された制御データ（例えば、下りリンクのチャネル品質指標ＣＱＩ、スケジューリング要求ＳＲ、又は受信応答ＡＣＫ／ＮＡＣＫ）に応じて、復調、復号し、制御データを検出する。
【０１０８】
例えば、上りリンク制御チャネル検出部ａ１１２７は、次のように、ある移動局装置からのチャネル品質指標ＣＱＩ又はスケジューリング要求ＳＲを検出する。
上りリンク制御チャネル検出部ａ１１２７は、ＣＱＩ配置可能周期Ｔ１において、ＣＱＩ配置可能制御チャネルｎから、ＣＱＩ配置対応付けで対応付けられる下りリンク要素周波数帯域ｍＣＱＩを検出する。また、上りリンク制御チャネル検出部ａ１１２７は、ＳＲ配置可能周期Ｔ２において、ＳＲ配置可能制御チャネル１からスケジューリング要求ＳＲを検出する。
【０１０９】
ここで、上りリンク制御チャネル検出部ａ１１２７は、ＣＱＩ配置可能制御チャネル及びＳＲ配置可能制御チャネルが同一の上りリンク要素周波数帯域（本実施形態では上りリンク要素周波数帯域１）及び同一の上りリンクサブフレームに割り当てられている場合、次の処理を行う。
まず、上りリンク制御チャネル検出部ａ１１２７は、ＳＲ配置可能制御チャネルに配置された信号の検出を行う。例えば、上りリンク制御チャネル検出部ａ１１２７は、ＳＲ配置可能制御チャネルに配置された信号の振幅（電力）が予め定められた閾値以上の場合、移動局装置ｂ１からのスケジューリング要求ＳＲの信号を検出したと判定する。この場合、上りリンク制御チャネル検出部ａ１１２７は、スケジューリング要求ＳＲを検出したことを示す制御信号を生成し、制御部ａ１３に出力する。
一方、上りリンク制御チャネル検出部ａ１１２７は、ＳＲ配置可能制御チャネルに配置された信号が予め定められた閾値より小さい場合、移動局装置ｂ１からのスケジューリング要求ＳＲの信号を検出しなかったと判定する。この場合、上りリンク制御チャネル検出部ａ１１２７は、スケジューリング要求ＳＲを検出しなかったことを示す制御信号を生成し、制御部ａ１３に出力する。また、この場合、上りリンク制御チャネル検出部ａ１１２７は、ＣＱＩ配置可能制御チャネル１に配置された制御データ信号を復調、復号する。
【０１１０】
また、上りリンク制御チャネル検出部ａ１１２７は、次のように、下りリンク要素周波数帯域ｍＣＱＩを検出する。
上りリンク制御チャネル検出制御部ａ１３１がＣＱＩ配置対応付けを切り替えない制御を行う場合、上りリンク制御チャネル検出部ａ１１２７は、ＣＱＩ配置可能制御チャネルｎから下りリンク要素周波数帯域ｎＣＱＩを検出する。
【０１１１】
一方、上りリンク制御チャネル検出制御部ａ１３１がＣＱＩ配置対応付けを切り替える制御を行う場合、上りリンク制御チャネル検出部ａ１１２７は、対応付け切替周期ＴＣ毎にＣＱＩ配置対応付けを切り替えて、下りリンク要素周波数帯域ｍＣＱＩを検出する。
例えば、上りリンク制御チャネル検出部ａ１１２７は、図８のＣＱＩ配置対応付け情報に基づいて制御が行われる場合、上りリンクサブフレーム１〜６（第１周期）であってＣＱＩ配置可能周期Ｔ１＝２の上りリンクサブフレーム１、３、５では、ＣＱＩ配置可能制御チャネル１、２、３から、それぞれ、下りリンク要素周波数帯域１、２、３ＣＱＩを検出する。また、上りリンク制御チャネル検出部ａ１１２７は、上りリンクサブフレーム１〜６（第２周期）の上りリンクサブフレーム７、９、１１では、ＣＱＩ配置可能制御チャネル１、２、３から、それぞれ、下りリンク要素周波数帯域２、３、１ＣＱＩを検出する。
【０１１２】
なお、上りリンク制御チャネル検出部ａ１１２７は、同様に、無線リソース制御情報の上りリンク制御チャネルの無線リソース割り当て情報に基づいて、チャネル品質指標ＣＱＩ又はスケジューリング要求ＳＲ以外の制御データ（例えば、受信応答ＡＣＫ／ＮＡＣＫ）を検出し、制御部ａ１３に出力する。
【０１１３】
伝搬路等化部ａ１１２８は、サブキャリアデマッピング部ａ１１２４が分離した上りリンク共有データチャネルの信号の振幅及び位相を、伝搬路推定部ａ１１２５から入力された伝搬路推定値に基づいて等化する。ここで、等化とは、信号が無線通信中に受けた伝搬路の変動を元に戻す処理のことをいう。伝搬路等化部ａ１１２８は、等化した信号をＩＤＦＴ部ａ１１２９に出力する。
ＩＤＦＴ部ａ１１２９は、伝搬路等化部ａ１１２８から入力された信号を離散逆フーリエ変換し、データ復調部ａ１１３０に出力する。
【０１１４】
データ復調部ａ１１３０は、ＩＤＦＴ部ａ１１２９が変換した上りリンク共有データチャネルの信号の復調を行い、復調した上りリンク共有データチャネルの信号をターボ復号部ａ１１３１に出力する。この復調は、移動局装置ｂ１の上りリンク要素周波数帯域毎送信処理部ｂ１４１−１のデータ変調部ｂ１４１２で用いた変調方式に対応した復調である。なお、変調方式は、制御部ａ１３より入力される。
ターボ復号部ａ１１３１は、データ復調部ａ１１３０から入力され、復調された上りリンク共有データチャネルの信号から、情報データを復号する。なお、符号化率は、制御部ａ１３より入力される。ターボ復号部ａ１１３１は、復号した情報データを上位層（図示せず）に出力する。
【０１１５】
＜移動局装置ｂ１の全体構成＞
以下、図１１、図１２、図１３を用いて、本実施形態に係る移動局装置ｂ１の構成について説明する。
図１１は、本実施形態に係る移動局装置ｂ１の構成を示す概略ブロック図である。この図に示すように、移動局装置ｂ１は、受信処理部ｂ１１、制御部ｂ１２、バッファｂ１３、送信処理部ｂ１４を含んで構成される。
また、この図に示すように、受信処理部ｂ１１は、受信品質測定部ｂ１１１７及び下りリンク共有データチャネル復号部ｂ１１３を備える。また、制御部ｂ１２は、チャネル品質指標対応付け切替部ｂ１２１、及び上りリンク制御データ生成部ｂ１２２を備える。また、送信処理部ｂ１４は、上りリンク制御チャネル処理部ｂ１４１５及びサブキャリアマッピング部ｂ１４１６を備える。
【０１１６】
受信処理部ｂ１１は、基地局装置ａ１から信号を受信し、制御部ｂ１２の指示に従い、受信アンテナｂ１５１により移動局装置ｂ１から受信した受信信号を復調、復号する。
例えば、受信処理部ｂ１１は、自装置宛ての下りリンク制御チャネルの信号を検出した場合は、下りリンク制御チャネルの信号を復号して取得した制御データを制御部ｂ１２に出力する。
また、上記の受信信号の復調、復号処理において、受信処理部ｂ１１が備える下りリンク共有データチャネル復号部ｂ１１３は、受信処理部ｂ１１が出力した制御データに基づく制御部ｂ１２からの制御により、自装置宛ての下りリンク共有データチャネルを復号する。下りリンク共有データチャネル復号部ｂ１１３は、復号した情報データを、制御部ｂ１２に出力する。例えば、下りリンク共有データチャネル復号部ｂ１１３は、情報データからＣＱＩ配置可能周期Ｔ１、ＳＲ配置可能周期Ｔ２、ＣＱＩ配置可能制御チャネルｎを割り当てる上りリンク要素周波数帯域ｎ、ＳＲ配置可能制御チャネルｎを割り当てる上りリンク要素周波数帯域ｎを含む無線リソース制御情報を、抽出して、チャネル品質指標対応付け切替部ｂ１２１に出力する。
【０１１７】
受信品質測定部ｂ１１１７は、下りリンク要素周波数帯域ｍ各々について、基地局装置ａ１から受信した下りリンクパイロットチャネルの下りリンク参照信号を用いて受信品質を測定して、測定結果を上りリンク制御データ生成部ｂ１２２に出力する。
なお、受信処理部ｂ１１の詳細については後述する。
【０１１８】
制御部ｂ１２は、受信処理部ｂ１１から入力された制御データ及び情報データ中の無線リソース制御情報に基づいて、受信処理部ｂ１１、送信処理部ｂ１４を制御する。例えば、制御部ｂ１２は、無線リソース制御情報中の無線リソース割り当て情報、変調方式・符号化率などに基づき受信処理部ｂ１１を制御する。また、制御部ｂ１２は、情報データを上位層に出力する。
【０１１９】
ここで、上記の送信処理部ｂ１４の制御について、制御部ｂ１２が備えるチャネル品質指標対応付け切替部ｂ１２１は、下りリンク共有データチャネル復号部ｂ１１３から入力された無線リソース制御情報に基づき、サブキャリアマッピング部ｂ１４１６を制御する。
チャネル品質指標対応付け切替部ｂ１２１は、無線リソース制御情報中のＣＱＩ配置対応付け切替情報がＣＱＩ配置対応付けを切り替えることを示す場合、次のＣＱＩ配置対応付けを切り替え処理を行う。
チャネル品質指標対応付け切替部ｂ１２１は、予め記憶するＣＱＩ配置対応付け情報（図８）を読み出し、ＣＱＩ配置対応付け切替情報中の対応付け切替周期ＴＣに基づいて、送信処理部ｂ１４のサブキャリアマッピング部ｂ１４１６を制御する。後述するように、この制御では、対応付け切替周期ＴＣ毎にＣＱＩ配置対応付け情報を、対応付けが異なるＣＱＩ配置対応付け情報に切り替える。この制御は、ＣＱＩ配置可能制御チャネルｎに、切り替えたＣＱＩ配置対応付け情報で対応付けられる下りリンク要素周波数帯域ｍＣＱＩを配置させる制御である。すなわち、チャネル品質指標対応付け切替部ｂ１２１は、ＣＱＩ配置対応付け情報を、予め定めた対応付け切替周期ＴＣの経過前後で対応付けが異なるＣＱＩ配置対応付け情報に決定する。
一方、チャネル品質指標対応付け切替部ｂ１２１は、ＣＱＩ配置対応付け切替情報がＣＱＩ配置対応付けを切り替えないことを示す場合、サブキャリアマッピング部ｂ１４１６にＣＱＩ配置可能制御チャネルｎに下りリンク要素周波数帯域ｎＣＱＩを配置させる制御を行う。
【０１２０】
上りリンク制御データ生成部ｂ１２２は、上りリンク制御チャネルに配置する制御データ（例えば、下りリンクのチャネル品質指標ＣＱＩ、スケジューリング要求ＳＲ、又は受信応答ＡＣＫ／ＮＡＣＫ）を生成する。
例えば、上りリンク制御データ生成部ｂ１２２は、受信品質測定部ｂ１１１７から入力された測定結果であって、下りリンク要素周波数帯域ｍ各々の受信品質を示す下りリンク要素周波数帯域ｍＣＱＩを生成する。
また、上りリンク制御データ生成部ｂ１２２は、バッファｂ１３に蓄積された情報データ量を検出し、検出した情報データ量が予め定めた閾値を超えた場合、スケジューリング要求ＳＲを生成する。
上りリンク制御データ生成部ｂ１２２は、生成した制御データを、送信処理部ｂ１４の上りリンク制御チャネル処理部ｂ１４１５に出力する。
【０１２１】
送信処理部ｂ１４は、制御部ｂ１２の指示に従い、バッファｂ１３を介して入力された情報データ、及び制御データを符号化し、変調した信号を上りリンクの無線リソースに配置して、送信アンテナｂ１５２を介して基地局装置ａ１に送信する。
ここで、上りリンク制御チャネル処理部ｂ１４１５は、上りリンク制御データ生成部ｂ１２２から入力された制御データに対して変調等の処理を施した制御データ信号を、サブキャリアマッピング部ｂ１４１６に出力する。サブキャリアマッピング部ｂ１４１６は、制御部ｂ１２からの制御に従い、上りリンク制御チャネル処理部ｂ１４１５から入力された制御データ信号を、制御チャネルに配置する。送信処理部ｂ１４の詳細については後述する。
【０１２２】
＜移動局装置ｂ１の受信処理部ｂ１１の構成＞
以下、移動局装置ｂ１の受信処理部ｂ１１の詳細について説明をする。
図１２は、本実施形態に係る移動局装置ｂ１の受信処理部ｂ１１の構成を示す概略ブロック図である。
この図に示すように、受信処理部ｂ１１、受信ＲＦ部ｂ１１１１、Ａ／Ｄ部ｂ１１１２、シンボルタイミング検出部ｂ１１１３、ＧＩ除去部ｂ１１１４、ＦＦＴ部ｂ１１１５、多重分離部ｂ１１１６、受信品質測定部ｂ１１１７、伝搬路推定部ｂ１１１８、下りリンク共有データチャネル用の伝搬路補償部ｂ１１１９、下りリンク制御チャネル用の伝搬路補償部ｂ１１２０、下りリンク共有データチャネル復号部ｂ１１３、及び下りリンク制御チャネル復号部ｂ１１４を含んで構成され、受信アンテナｂ１５１に接続されている。
また、この図に示すように、下りリンク共有データチャネル復号部ｂ１１３は、データ復調部ｂ１１３１及びターボ復号部ｂ１１３２を備える。また、下りリンク制御チャネル復号部ｂ１１４は、ＱＰＳＫ復調部ｂ１１４１及びビタビデコーダ部ｂ１１４２を備える。
【０１２３】
受信ＲＦ部ｂ１１１１は、受信アンテナｂ１５１を介して基地局装置ａ１からの信号を受信する。受信ＲＦ部ｂ１１１１は、受信した信号を、適切に増幅し、中間周波数に変換（ダウンコンバート）する。受信ＲＦ部ｂ１１１１は、中間周波数の信号から不要な周波数成分を除去し、信号レベルが適切に維持されるように増幅レベルを制御し、受信した信号の同相成分及び直交成分に基づいて、直交復調する。
受信ＲＦ部ｂ１１１１は、直交復調したアナログ信号を、Ａ／Ｄ部ｂ１１１２に出力する。
【０１２４】
Ａ／Ｄ部ｂ１１１２は、受信ＲＦ部ｂ１１１１が直交復調したアナログ信号をディジタル信号に変換し、変換したディジタル信号を、シンボルタイミング検出部ｂ１１１３と、ＧＩ除去部ｂ１１１４と、に出力する。
シンボルタイミング検出部ｂ１１１３は、Ａ／Ｄ部ｂ１１１２が変換したディジタル信号に基づいて、シンボルのタイミングを検出し、検出したシンボル境界のタイミングを示す制御信号を、ＧＩ除去部ｂ１１１４に出力する。
【０１２５】
ＧＩ除去部ｂ１１１４は、シンボルタイミング検出部ｂ１１１３からの制御信号に基づいて、Ａ／Ｄ部ｂ１１１２の出力したディジタル信号からガードインターバルに相当する部分を除去し、残りの部分の信号を、ＦＦＴ部ｂ１１１５に出力する。
ＦＦＴ部ｂ１１１５は、ＧＩ除去部ｂ１１１４から入力された信号を高速フーリエ変換し、ＯＦＤＭ方式の復調を行い、多重分離部ｂ１１１６に出力する。
【０１２６】
多重分離部ｂ１１１６は、制御部ｂ１２からの制御に従い、ＦＦＴ部ｂ１１１５が復調した信号を、下りリンク制御チャネルの信号と、下りリンク共有データチャネルの信号とに分離する。多重分離部ｂ１１１６は、分離した下りリンク共有データチャネルの信号を、伝搬路補償部ｂ１１１９に出力し、また、分離した下りリンク制御チャネルの信号を、伝搬路補償部ｂ１１２０に出力する。
また、多重分離部ｂ１１１６は、下りリンクパイロットチャネルが配置される下りリンクリソースエレメントを分離し、下りリンクパイロットチャネルの下りリンク参照信号を、受信品質測定部ｂ１１１７及び伝搬路推定部ｂ１１１８に出力する。
【０１２７】
受信品質測定部ｂ１１１７は、下りリンク要素周波数帯域ｍについて、基地局装置ａ１から受信した下りリンクパイロットチャネルの下りリンク参照信号を用いて受信品質を測定して、測定結果を制御部ｂ１２に出力する。
【０１２８】
伝搬路推定部ｂ１１１８は、多重分離部ｂ１１１６が分離した下りリンクパイロットチャネルの下りリンク参照信号と既知の信号とを用いて伝搬路の状況を推定し、伝搬路変動を補償するように、振幅及び位相を等化するための伝搬路補償値を、伝搬路補償部ｂ１１１９及び伝搬路補償部ｂ１１２０に出力する。なお、この伝搬路補償値は、サブキャリア毎に出力される。  
伝搬路補償部ｂ１１１９は、多重分離部ｂ１１１６が分離した下りリンク共有データチャネルの信号の振幅及び位相を、伝搬路推定部ｂ１１１８から入力された伝搬路補償値に従って、サブキャリア毎に等化する。伝搬路補償部ｂ１１１９は、伝搬路を等化した信号を下りリンク共有データチャネル復号部ｂ１１３のデータ復調部ｂ１１３１に出力する。
【０１２９】
下りリンク共有データチャネル復号部ｂ１１３は、制御部ｂ１２からの制御に従い、下りリンク共有データチャネルの復調、復号を行ない、情報データを検出する。
データ復調部ｂ１１３１は、伝搬路補償部ｂ１１１９から入力された下りリンク共有データチャネルの信号の復調を行い、復調した下りリンク共有データチャネルの信号をターボ復号部ｂ１１３２に出力する。この復調は、基地局装置ａ１のデータ変調部ａ１４１２で用いた変調方式に対応した復調であり、この変調方式は、制御データにより移動局装置ｂ１に通知される。
【０１３０】
ターボ復号部ｂ１１３２は、データ復調部ｂ１１３１から入力され、復調された下りリンク共有データチャネルの信号から情報データを復号し、制御部ｂ１２を介して上位層に出力する。なお、この情報データには、無線リソース制御情報、つまり、移動局装置ｂ１の送信電力、間欠送受信サイクル、無線リソース割り当て情報、変調方式・符号化率、ＣＱＩ配置可能周期Ｔ１、ＳＲ配置可能周期Ｔ２、及びＣＱＩ配置対応付け切替情報が含まれる。
【０１３１】
伝搬路補償部ｂ１１２０は、多重分離部ｂ１１１６が分離した下りリンク制御チャネルの信号の振幅及び位相を、伝搬路推定部ｂ１１１８から入力された伝搬路補償値に従って等化する。伝搬路補償部ｂ１１２０は、等化した信号を下りリンク制御チャネル復号部ｂ１１４のＱＰＳＫ復調部ｂ１１４１に出力する。
【０１３２】
下りリンク制御チャネル復号部ｂ１１４は、次のように、伝搬路補償部ｂ１１２０から入力された信号を復調、復号し、自装置宛ての制御データを検出する。
ＱＰＳＫ復調部ｂ１１４１は、下りリンク制御チャネルの信号に対してＱＰＳＫ復調を行い、ビタビデコーダ部ｂ１１４２に出力する。
ビタビデコーダ部ｂ１１４２は、ＱＰＳＫ復調部ｂ１１４１が復調した信号を復号し、復号した制御データを制御部ｂ１２に出力する。ここで、この信号はビット単位で表現され、ビタビデコーダ部ｂ１１４２は、入力ビットに対してビタビデコーディング処理を行なうビットの数を調整するためにレートデマッチングも行なう。なお、制御部ｂ１２は、ビタビデコーダ部ｂ１１４２より入力された制御データに誤りがないか否かを判定し、誤りがないと判定した場合、この制御データが自装置宛の制御データと判定する。制御部ｂ１２は、自装置宛の制御データに基づき受信処理部ｂ１１（例えば、多重分離部ｂ１１１６、データ復調部ｂ１１３１、ターボ復号部ｂ１１３２）及び送信処理部ｂ１４を制御する。
【０１３３】
＜移動局装置ｂ１の送信処理部ｂ１４の構成＞
図１３は、本実施形態に係る移動局装置ｂ１の送信処理部ｂ１４の構成を示す概略ブロック図である。
この図に示すように、送信処理部ｂ１４は、複数の上りリンク要素周波数帯域毎送信処理部ｂ１４１−１〜ｂ１４１−Ｎ、要素周波数帯域合成部ｂ１４２１、Ｄ／Ａ部ｂ１４２２、及び送信ＲＦ部ｂ１４２３を含んで構成され、送信アンテナｂ１５２に接続されている。
なお、上りリンク要素周波数帯域毎送信処理部ｂ１４１−ｎ（ｎ＝１〜Ｎ）は、上りリンク要素周波数帯域ｎ毎に設けられ、それぞれ、同様の構成及び機能を有するので、その一つ（上りリンク要素周波数帯域毎送信処理部ｂ１４１−１）を代表して説明する。
【０１３４】
また、この図に示すように、上りリンク要素周波数帯域毎送信処理部ｂ１４１−１は、ターボ符号部ｂ１４１１、データ変調部ｂ１４１２、ＤＦＴ部ｂ１４１３、上りリンクパイロットチャネル処理部ｂ１４１４、上りリンク制御チャネル処理部ｂ１４１５、サブキャリアマッピング部ｂ１４１６、ＩＦＦＴ部ｂ１４１７、及び、ＧＩ挿入部ｂ１４１８を備える。
【０１３５】
上りリンク要素周波数帯域毎送信処理部ｂ１４１−１は、情報データ及び制御データに対して符号化、変調を行い、それぞれ、上りリンク要素周波数帯域内の上りリンク共有データチャネル及び上りリンク制御チャネルを用いて送信する信号を生成する。
ターボ符号部ｂ１４１１は、上位層（図示せず）から入力された情報データを、制御部ｂ１２から指示された符号化率で、データの誤り耐性を高めるためのターボ符号化を行い、データ変調部ｂ１４１２に出力する。
【０１３６】
データ変調部ｂ１４１２は、ターボ符号部ｂ１４１１が符号化した符号データを、制御部ｂ１２から指示された変調方式、例えば、ＱＰＳＫ、１６ＱＡＭ、６４ＱＡＭのような変調方式で変調し、変調シンボルの信号系列を生成する。データ変調部ｂ１４１２は、生成した変調シンボルの信号系列を、ＤＦＴ部ｂ１４１３に出力する。
ＤＦＴ部ｂ１４１３は、データ変調部ｂ１４１２が出力した信号を離散フーリエ変換し、離散フーリエ変換した情報データ信号を、サブキャリアマッピング部ｂ１４１６に出力する。このように、移動局装置ｂ１では、変調シンボルの信号系列に対して離散フーリエ変換を施し、離散フーリエ変換を施した周波数領域の信号（情報データ信号）を後述するサブキャリアマッピング部ｂ１４１６でサブキャリアに配置する（ＤＦＴ−Ｓｐｒｅａｄ  ＯＦＤＭ方式）。これにより、移動局装置ｂ１は、移動局装置ｂ１のＰＡＰＲが増大することを防止することができる。
上りリンクパイロットチャネル処理部ｂ１４１４は、基地局装置ａ１において既知の信号であり、予め記憶する信号である上りリンク参照信号を生成し、サブキャリアマッピング部ｂ１４１６に出力する。
【０１３７】
上りリンク制御チャネル処理部ｂ１４１５は、制御部ｂ１２から入力された制御データを伝送するためのベースバンド信号処理を行う。例えば、上りリンク制御チャネル処理部ｂ１４１５には、制御データとして、下りリンク要素周波数帯域ｍＣＱＩ、スケジューリング要求ＳＲ、又は受信応答ＡＣＫ／ＮＡＣＫが入力される。
上りリンク制御チャネル処理部ｂ１４１５は、制御部ｂ１２の制御に従って、処理を行なう制御データの種類に応じて異なる形式の制御データ信号を生成し、サブキャリアマッピング部ｂ１４１６に出力する。
【０１３８】
サブキャリアマッピング部ｂ１４１６は、上りリンクパイロットチャネル処理部ｂ１４１４から入力された参照信号と、ＤＦＴ部ｂ１４１３から入力された情報データ信号と、上りリンク制御チャネル処理部ｂ１４１５各々から入力された制御データ信号とを、制御部ｂ１２からの指示に従ってサブキャリアに配置し、ＩＦＦＴ部ｂ１４１７に出力する。
【０１３９】
例えば、サブキャリアマッピング部ｂ１４１６は、チャネル品質指標対応付け切替部ｂ１２１からの制御により、次のように、チャネル品質指標ＣＱＩ又はスケジューリング要求ＳＲを配置する。
サブキャリアマッピング部ｂ１４１６は、ＣＱＩ配置可能周期Ｔ１において、ＣＱＩ配置可能制御チャネルｎに、ＣＱＩ配置対応付け情報で対応付けられる下りリンク要素周波数帯域ｍＣＱＩを配置する。また、サブキャリアマッピング部ｂ１４１６は、上りリンク制御チャネル処理部ｂ１４１５からスケジューリング要求ＳＲが入力された場合、ＳＲ配置可能周期Ｔ２において、ＳＲ配置可能制御チャネル１にスケジューリング要求ＳＲを配置する。なお、配置するスケジューリング要求ＳＲの振幅（電力）は、移動局装置ｂ１の上りリンクの受信品質に基づいて基地局装置ａ１により制御される。
【０１４０】
ここで、サブキャリアマッピング部ｂ１４１６は、スケジューリング要求ＳＲを配置する場合、スケジューリング要求ＳＲを配置する上りリンク要素周波数帯域（本実施形態では上りリンク要素周波数帯域１）及び上りリンクサブフレームには、スケジューリング要求ＳＲのみを配置し、下りリンク要素周波数帯域ｍＣＱＩを配置しない。これにより、サブキャリアマッピング部ｂ１４１６は、シングルキャリア属性を確保して、自装置でのＰＡＰＲが増大することを防止する。
例えば、図６に示したように、上りリンクでは、６個の上りリンクサブフレーム毎（上りリンクサブフレーム１、７、１３、・・・）に、ＣＱＩ配置可能制御チャネルとＳＲ配置可能制御チャネルとが同じ上りリンクサブフレームに割り当てられている。また、図５に示したように、上りリンク要素周波数帯域１では、ＣＱＩ配置可能制御チャネルとＳＲ配置可能制御チャネルとが割り当てられている。サブキャリアマッピング部ｂ１４１６は、上りリンクサブフレーム（上りリンクサブフレーム１、７、１３、・・・）の上りリンク要素周波数帯域１において、スケジューリング要求ＳＲ１を配置する場合は、チャネル品質指標ＣＱＩを配置しない。すなわち、サブキャリアマッピング部ｂ１４１６（送信処理部ｂ１４）は、上りリンク制御データ生成部ｂ１２２がスケジューリング要求ＳＲを生成したとき、ＣＱＩ配置可能制御チャネルが割り当てられた上りリンク要素周波数帯域ｎ及び上りリンクサブフレームと、ＳＲ配置可能制御チャネルが割り当てられた上りリンク要素周波数帯域ｎ及び上りリンクサブフレームと、が同じ上りリンク要素周波数帯域ｎ及び上りリンクサブフレームである場合、当該上りリンク要素周波数帯域ｎ及び上りリンクサブフレームの無線リソースには、チャネル品質指標ＣＱＩを配置しない。
【０１４１】
また、サブキャリアマッピング部ｂ１４１６は、チャネル品質指標対応付け切替部ｂ１２１からの制御により、次のように、下りリンク要素周波数帯域ｍＣＱＩを配置する。
チャネル品質指標対応付け切替部ｂ１２１がＣＱＩ配置対応付けを切り替えない制御を行う場合、サブキャリアマッピング部ｂ１４１６は、ＣＱＩ配置可能制御チャネルｎに下りリンク要素周波数帯域ｎＣＱＩを配置する。
【０１４２】
一方、チャネル品質指標対応付け切替部ｂ１２１がＣＱＩ配置対応付けを切り替える制御を行う場合、サブキャリアマッピング部ｂ１４１６は、対応付け切替周期ＴＣ毎にＣＱＩ配置対応付けを対応付けが異なるＣＱＩ配置対応付けに切り替えて、下りリンク要素周波数帯域ｍＣＱＩを配置する。
例えば、サブキャリアマッピング部ｂ１４１６は、図８のＣＱＩ配置対応付け情報に基づいて制御が行われる場合、上りリンクサブフレーム１〜６（第１周期）であって、ＣＱＩ配置可能周期Ｔ１＝２の上りリンクサブフレーム１、３、５では、ＣＱＩ配置可能制御チャネル１、２、３に、それぞれ、下りリンク要素周波数帯域１、２、３ＣＱＩを配置する。また、サブキャリアマッピング部ｂ１４１６は上りリンクサブフレーム１〜６（第２周期）の上りリンクサブフレーム７、９、１１では、ＣＱＩ配置可能制御チャネル１、２、３に、それぞれ、下りリンク要素周波数帯域２、３、１ＣＱＩを配置する。
このＣＱＩ配置対応付けの切り替え処理の一例については、後述する（図１４）。
【０１４３】
ＩＦＦＴ部ｂ１４１７は、サブキャリアマッピング部ｂ１４１６が出力した信号を高速逆フーリエ変換し、ＧＩ挿入部ｂ１４１８に出力する。なお、ＩＦＦＴ部ｂ１４１７のポイント数はＤＦＴ部ｂ１４１３のポイント数よりも多い。
ＧＩ挿入部ｂ１４１８は、ＩＦＦＴ部ｂ１４１７から入力された信号に、ガードインターバルを付加し、要素周波数帯域合成部ｂ１４２１に出力する。
【０１４４】
要素周波数帯域合成部ｂ１４２１は、各上りリンク要素周波数帯域毎送信処理部ｂ１４１−ｎより入力された上りリンク要素周波数帯域ｎ毎の信号を合成し、Ｄ／Ａ部ｂ１４２２に出力する。
Ｄ／Ａ部ｂ１４２２は、要素周波数帯域合成部ｂ１４２１から入力されたベースバンドのディジタル信号をアナログ信号に変換し、送信ＲＦ部ｂ１４２３に出力する。
送信ＲＦ部ｂ１４２３は、Ｄ／Ａ部ｂ１４２２から入力されたアナログ信号から、中間周波数の同相成分及び直交成分を生成し、中間周波数帯域に対する余分な周波数成分を除去する。次に、送信ＲＦ部ｂ１４２３は、中間周波数の信号を高周波数の信号に変換（アップコンバート）し、余分な周波数成分を除去し、電力増幅し、送信アンテナｂ１５２を介して基地局装置ａ１に送信する。
【０１４５】
＜ＣＱＩ配置対応付けの切り替え処理＞
以下、ＣＱＩ配置対応付けの切り替え処理の一例について説明をする。まず、ＣＱＩ配置対応付け情報について説明をする。
図１４は、本実施形態に係るＣＱＩ配置対応付けの一例を示す概略図である。この図において、縦軸は時間、横軸は周波数を示す。この図は、図２の下りリンクシステム帯域幅の帯域が３個（要素周波数帯域Ｎ＝３）の下りリンク要素周波数帯域１〜３から構成され、図３の上りリンクシステム帯域幅の帯域が３個（要素周波数帯域Ｎ＝３）の上りリンク要素周波数帯域１〜３から構成される場合の図である。
また、この図は、図８のＣＱＩ配置対応付け情報に基づきＣＱＩ配置対応付けの切り替えが行われる場合の図である。この図は、ＣＱＩ配置可能周期Ｔ１がＴ１＝２、ＳＲ配置可能周期Ｔ２がＴ２＝６の場合（対応付け切替周期ＴＣがＴＣ＝６）の図である。
【０１４６】
例えば、この図は、上りリンクサブフレーム１において、下りリンク要素周波数帯域１ＣＱＩ（下りリンク要素周波数帯域１）とＣＱＩ配置可能制御チャネル１（ＣＱＩ１）とが対応付けられていることを示す。また、この図は、上りリンクサブフレーム１において、下りリンク要素周波数帯域２ＣＱＩ（下りリンク要素周波数帯域２）とＣＱＩ配置可能制御チャネル２（ＣＱＩ２）とが対応付けられ、また、下りリンク要素周波数帯域３ＣＱＩ（下りリンク要素周波数帯域３）とＣＱＩ配置可能制御チャネル３（ＣＱＩ３）とが対応付けられていることを示す。なお、上りリンクサブフレーム１において、上りリンク要素周波数帯域１、つまり、ＣＱＩ配置可能制御チャネル１が割り当てられた上りリンク要素周波数帯域１には、ＳＲ配置可能制御チャネルが割り当てられている（図５、図６参照）。
【０１４７】
図１４は、上りリンクサブフレーム１から６までの間（第１周期）、つまり、対応付け切替周期ＴＣ（ＴＣ＝６）の間、上りリンクサブフレーム１におけるＣＱＩ配置対応付けと同じＣＱＩ配置対応付けが行われていることを示す。
また、図１４は、上りリンクサブフレーム７から１２までの間（第２周期）、下りリンク要素周波数帯域１ＣＱＩとＣＱＩ配置可能制御チャネル３とが対応付けられ、下りリンク要素周波数帯域２ＣＱＩとＣＱＩ配置可能制御チャネル１とが対応付けられ、下りリンク要素周波数帯域３ＣＱＩとＣＱＩ配置可能制御チャネル２とが対応付けられていることを示す。
また、図１４は、上りリンクサブフレーム１３から１８までの間（第３周期）、下りリンク要素周波数帯域１ＣＱＩとＣＱＩ配置可能制御チャネル２とが対応付けられ、下りリンク要素周波数帯域２ＣＱＩとＣＱＩ配置可能制御チャネル３とが対応付けられ、下りリンク要素周波数帯域３ＣＱＩとＣＱＩ配置可能制御チャネル１とが対応付けられていることを示す。
なお、上りリンクサブフレーム７、１３において、上りリンク要素周波数帯域１には、ＳＲ配置可能制御チャネルが割り当てられている（図５、図６参照）。
【０１４８】
以上のように、チャネル品質指標対応付け切替部ｂ１２１は、対応付け切替周期ＴＣ（ＴＣ＝６）毎にＣＱＩ配置対応付けを対応付けが異なるＣＱＩ配置対応付けに切り替える。
また、チャネル品質指標対応付け切替部ｂ１２１は、対応付け切替周期ＴＣ毎に、下りリンク要素周波数帯域ｍＣＱＩを配置する下りリンク要素周波数帯域ｍに対して、ＣＱＩ配置可能制御チャネルｎが割り当てられた上りリンク要素周波数帯域ｎを巡回周波数シフトさせたＣＱＩ配置対応付けに切り替える。ここで、巡回周波数シフトとは、上りリンク要素周波数帯域ｎの番号ｎを１増加（又は減少でもよい）させることをいい、最大の番号Ｎ（Ｎ＝３）を１増加させる場合、最小の番号１とするシフトをいう。
すなわち、チャネル品質指標対応付け切替部ｂ１２１は、上りリンク要素周波数帯域ｎと下りリンク要素周波数帯域ｍＣＱＩとの対応付けを、前記対応付け切替周期ＴＣの経過後に、上りリンク要素周波数帯域ｎと下りリンク要素周波数帯域ｍ＋１ＣＱＩとの対応付けに切替える。
【０１４９】
このように、チャネル品質指標対応付け切替部ｂ１２１は、対応付け切替周期ＴＣ、つまり、ＣＱＩ配置可能制御チャネルとＳＲ配置可能制御チャネルとが割り当てられている上りリンクサブフレーム毎に、巡回周波数シフトさせたＣＱＩ配置対応付けに切り替える。これにより、移動局装置ｂ１は、ＳＲ配置可能制御チャネルが割り当てられていない上りリンク要素周波数帯域ｎにおいて、対応付け切替周期ＴＣ毎に異なる下りリンク要素周波数帯域ｍＣＱＩを配置することができる。
以下、ＣＱＩ配置対応付けの切り替えを行わない場合とＣＱＩ配置対応付けの切り替えを行う場合について具体的に説明し、ＣＱＩ配置対応付けの切り替えを行う場合の効果を具体的に説明する。
【０１５０】
まず、ＣＱＩ配置対応付けの切り替えを行わない場合について説明をする。
図１５は、ＣＱＩ配置対応付けの切り替えを行わない場合のＣＱＩ配置対応付けを示す概略図である。この図は、図１４と同様に、図２の下りリンクシステム帯域幅の帯域が３個（要素周波数帯域Ｎ＝３）の下りリンク要素周波数帯域１〜３から構成され、図３の上りリンクシステム帯域幅の帯域が３個（要素周波数帯域Ｎ＝３）の上りリンク要素周波数帯域１〜３から構成される場合の図である。この図において、縦軸は時間、横軸は周波数を示す。
【０１５１】
図１５は、すべての上りリンクサブフレームにおいて、下りリンク要素周波数帯域１ＣＱＩとＣＱＩ配置可能制御チャネル１とが対応付けられ、下りリンク要素周波数帯域２ＣＱＩとＣＱＩ配置可能制御チャネル２とが対応付けられ、下りリンク要素周波数帯域３ＣＱＩとＣＱＩ配置可能制御チャネル３とが対応付けられていることを示す。
また、この図は、上りリンクサブフレーム１、７、１３において、上りリンク要素周波数帯域１には、ＳＲ配置可能制御チャネル（ＳＲ１）が割り当てられていることを示す。つまり、サブキャリアマッピング部ｂ１４１６は、上りリンク制御データ生成部ｂ１２２からスケジューリング要求ＳＲが入力された場合、上りリンクサブフレーム１、７、１３における上りリンク要素周波数帯域１にスケジューリング要求ＳＲを配置する。この場合、サブキャリアマッピング部ｂ１４１６は、ＣＱＩ配置可能制御チャネル１には、下りリンク要素周波数帯域ｍＣＱＩを配置しない。
【０１５２】
図１５は、ＳＲ配置可能制御チャネルにスケジューリング要求ＳＲが配置され、斜線で示すＣＱＩ配置可能制御チャネル１（ＣＱＩ１）に下りリンクのチャネル品質指標ＣＱＩが配置されないことを示す。また、この図は、斜線で示す下りリンク要素周波数帯域１ＣＱＩ（下りリンク要素周波数帯域１）が、斜線で示すＣＱＩ配置可能制御チャネル１（ＣＱＩ１）に対応付けられているため、このＣＱＩ配置可能制御チャネル１に配置されないことを示す。つまり、対応付け切替周期ＴＣにおいて、下りリンク要素周波数帯域１のチャネル品質指標ＣＱＩのみが送信されず、下りリンク要素周波数帯域２、３に配置された下りリンク要素周波数帯域２、３ＣＱＩが移動局装置ｂ１から基地局装置ａ１に送信されることを示す。
【０１５３】
このように、ＣＱＩ配置対応付けの切り替えを行わない場合、移動局装置ｂ１は、対応付け切替周期ＴＣ毎に、同じ下りリンク要素周波数帯域番号ｍ１（ｍ１＝１）の下りリンク要素周波数帯域ＣＱＩ、つまり、下りリンク要素周波数帯域ｍ１ＣＱＩのみを、ＳＲ配置可能制御チャネルが割り当てられていない上りリンク要素周波数帯域ｍ１に配置して送信する。つまり、移動局装置ｂ１は、対応付け切替周期ＴＣにおいて、下りリンク要素周波数帯域ｍ２ＣＱＩ（ｍ２はｍ１以外の下りリンク要素周波数帯域番号；ｍ２＝２、３）のみを送信し、下りリンク要素周波数帯域ｍ１ＣＱＩを基地局装置ａ１に送信しない可能性がある。
移動局装置ｂ１が基地局装置ａ１に、同じ下りリンク要素周波数帯域ｍ２ＣＱＩのみを送信して同じ下りリンク要素周波数帯域ｍ１ＣＱＩのみを送信しない場合、基地局装置ａ１は、下りリンク要素周波数帯域ｍ２の受信品質値を検出することができるが、下りリンク要素周波数帯域ｍ１の受信品質値を検出することができない。この場合、基地局装置ａ１は、検出した受信品質値に基づき行う下りリンク要素周波数帯域ｍ１に対する設定処理、例えば、下りリンク要素周波数帯域ｍ１に対する周波数スケジューリング、適応変調及び符号化のみを正確に行うことができず、下りリンク要素周波数帯域ｍ１の伝送品質が著しく劣化する。
特に、ＣＱＩ配置可能周期Ｔ１とＳＲ配置可能周期Ｔ２とが、Ｔ１＝ｋ×Ｔ２（ｋは自然数）の関係にある場合、移動局装置ｂ１は、下りリンク要素周波数帯域ｍ１ＣＱＩを、基地局装置ａ１に全く送信できない可能性がある。この場合、基地局装置ａ１は、下りリンク要素周波数帯域ｍ１の受信品質値を全く検出することができない可能性がある。
【０１５４】
これに対し、本実施形態では、ＣＱＩ配置対応付けの切り替えを行う。以下、本実施形態に係る移動局装置ｂ１がＣＱＩ配置対応付けの切り替えを行う場合について説明をする。
図１６は、本実施形態に係るＣＱＩ配置対応付けの切り替えを行う場合のＣＱＩ配置対応付けを示す概略図である。この図は、図１４にＳＲ配置可能制御チャネル（ＳＲ１）を加え記載した図である。この図において、縦軸は時間、横軸は周波数を示す。
この図は、上りリンクサブフレーム１、７、１３において、上りリンク要素周波数帯域１には、ＳＲ配置可能制御チャネル（ＳＲ１）が割り当てられていることを示す。
【０１５５】
図１６は、ＳＲ配置可能制御チャネルにスケジューリング要求ＳＲが配置され、斜線で示すＣＱＩ配置可能制御チャネル１（ＣＱＩ１）に下りリンクのチャネル品質指標ＣＱＩが配置されないことを示す。また、この図は、斜線で示す下りリンク要素周波数帯域ｍＣＱＩ（下りリンク要素周波数帯域ｍ；ｍ＝１、２、３）のいずれかが斜線で示すＣＱＩ配置可能制御チャネル１（ＣＱＩ１）に対応付けられ、対応付けられたこの下りリンク要素周波数帯域ｍＣＱＩがＣＱＩ配置可能制御チャネル１に配置されないことを示す。
具体的に、この図は、対応付け切替周期ＴＣにおいて、対応付けられたこの下りリンク要素周波数帯域ｍＣＱＩが、下りリンク要素周波数帯域１ＣＱＩ、下りリンク要素周波数帯域２ＣＱＩ、下りリンク要素周波数帯域３ＣＱＩの順に送信されないことを示す。また、この図は、対応付け切替周期ＴＣにおいて、下りリンク要素周波数帯域２、３ＣＱＩ、下りリンク要素周波数帯域３、１ＣＱＩ、下りリンク要素周波数帯域１、２ＣＱＩの順に、下りリンク要素周波数帯域ｍＣＱＩが移動局装置ｂ１から基地局装置ａ１に送信されることを示す。
【０１５６】
このように、ＣＱＩ配置対応付けの切り替えを行う場合、移動局装置ｂ１は、ＳＲ配置可能制御チャネルが割り当てられていない上りリンク要素周波数帯域ｎにおいて、対応付け切替周期ＴＣ毎に、下りリンク要素周波数帯域番号ｍが異なる下りリンク要素周波数帯域ＣＱＩ、つまり、下りリンク要素周波数帯域ｍＣＱＩを基地局装置ａ１に送信する。これにより、基地局装置ａ１は、全ての下りリンク要素周波数帯域ｍの受信品質値を検出することができる。この場合、基地局装置ａ１は、検出した受信品質値に基づき行う全ての下りリンク要素周波数帯域ｍに対する設定処理を正確に行うことができ、ＣＱＩ配置対応付けの切り替えを行わない場合（図１５）のように、ある下りリンク要素周波数帯域ｍ１の伝送品質のみが著しく劣化することを防止することができる。
【０１５７】
＜移動局装置ｂ１の動作＞
以下、移動局装置ｂ１の動作について説明をする。
図１７は、本実施形態に係る移動局装置ｂ１の動作を示すフロー図である。
【０１５８】
（ステップＳ１０１）チャネル品質指標対応付け切替部ｂ１２１は、上りリンクサブフレームＳがＣＱＩ配置対応付けの切り替えを行う上りリンクサブフレームであるか否かを判定する。具体的には、ＣＱＩ配置対応付け切替情報がＣＱＩ配置対応付けを切り替えることを示すとき、切替周期ＴＣ毎の上りリンクサブフレームである場合、ＣＱＩ配置対応付けの切り替えを行う上りリンクサブフレームであると判定する。
チャネル品質指標対応付け切替部ｂ１２１がＣＱＩ配置対応付けの切り替えを行う上りリンクサブフレームであると判定した場合（ＹＥＳ）、ステップＳ１０２に進む。一方、チャネル品質指標対応付け切替部ｂ１２１がＣＱＩ配置対応付けの切り替えを行う上りリンクサブフレームでないと判定した場合（ＮＯ）、ステップＳ１０３に進む。
【０１５９】
（ステップＳ１０２）チャネル品質指標対応付け切替部ｂ１２１は、ＣＱＩ配置対応付けの切り替えを行う。その後、ステップＳ１０３に進む。
（ステップＳ１０３）制御部ｂ１２は、上りリンクサブフレームＳがＳＲ配置可能制御チャネルが割り当てられた上りリンクサブフレームであるか否かを判定する。具体的には、制御部ｂ１２は、ＳＲ配置可能周期Ｔ２に基づいて判定を行う。
制御部ｂ１２がＳＲ配置可能制御チャネルが割り当てられた上りリンクサブフレームであると判定した場合（ＹＥＳ）、ステップＳ１０４に進む。一方、制御部ｂ１２がＳＲ配置可能制御チャネルが割り当てられた上りリンクサブフレームでないと判定した場合（ＮＯ）、ステップＳ１０５に進む。
（ステップＳ１０４）制御部ｂ１２及びサブキャリアマッピング部ｂ１４１６は、後述するＳＲ配置可能上りリンクサブフレーム配置処理（図１８）を行う。
【０１６０】
（ステップＳ１０５）制御部ｂ１２は、上りリンクサブフレームＳがＣＱＩ配置可能制御チャネルが割り当てられた上りリンクサブフレームであるか否かを判定する。具体的には、制御部ｂ１２は、ＣＱＩ配置可能周期Ｔ１に基づいて判定を行う。
制御部ｂ１２がＣＱＩ配置可能制御チャネルが割り当てられた上りリンクサブフレームであると判定した場合（ＹＥＳ）、ステップＳ１０６に進む。一方、制御部ｂ１２がＣＱＩ配置可能制御チャネルが割り当てられた上りリンクサブフレームでないと判定した場合（ＮＯ）、ステップＳ１０７に進む。
【０１６１】
（ステップＳ１０６）サブキャリアマッピング部ｂ１４１６は、下りリンク要素周波数帯域ｍＣＱＩを、上りリンクサブフレームＳのＣＱＩ配置可能制御チャネルｎに配置して送信する。
（ステップＳ１０７）サブキャリアマッピング部ｂ１４１６は、その他以外の制御データ（例えば、受信応答ＡＣＫ／ＮＡＣＫ）を配置する場合は、その制御データを制御チャネルに配置して送信する。又は、サブキャリアマッピング部ｂ１４１６は、送信する制御データがない場合、或いは、送信する制御データの制御チャネルが上りリンクサブフレームＳに割り当てられていない場合、制御データを配置しない。
ステップS１０４、ステップＳ１０６、及びステップＳ１０７の後、移動局装置ｂ１は図１７に示す動作を終了する。
【０１６２】
図１８は、本実施形態に係るＳＲ配置可能上りリンクサブフレーム配置処理の動作を示すフロー図である。この図は、図１７のステップＳ１０４の処理を示す。
【０１６３】
（ステップＳ２０１）制御部ｂ１２は、上りリンク共有データチャネルの無線リソースの割り当てを要求するか否かを判定する。具体的に、制御部ｂ１２は、自装置のバッファｂ１３に蓄積された送信する情報データの量が、予め定めた閾値以上となった場合、上りリンク共有データチャネルの無線リソースの割り当てを要求すると判定する。
制御部ｂ１２が上りリンク共有データチャネルの無線リソースの割り当てを要求すると判定した場合（ＹＥＳ）、ステップＳ２０２に進む。一方、制御部ｂ１２が上りリンク共有データチャネルの無線リソースの割り当てを要求しないと判定した場合（ＮＯ）、ステップＳ２０３に進む。
【０１６４】
（ステップＳ２０２）制御部ｂ１２は、上りリンクサブフレームＳがＣＱＩ配置可能制御チャネルが割り当てられた上りリンクサブフレームであるか否かを判定する。制御部ｂ１２がＣＱＩ配置可能制御チャネルが割り当てられた上りリンクサブフレームであると判定した場合（ＹＥＳ）、ステップＳ２０４に進む。一方、制御部ｂ１２がＣＱＩ配置可能制御チャネルが割り当てられた上りリンクサブフレームでないと判定した場合（ＮＯ）、ステップＳ２０７に進む。
（ステップＳ２０３）制御部ｂ１２は、上りリンクサブフレームＳがＣＱＩ配置可能制御チャネルが割り当てられた上りリンクサブフレームであるか否かを判定する。制御部ｂ１２がＣＱＩ配置可能制御チャネルが割り当てられた上りリンクサブフレームであると判定した場合（ＹＥＳ）、ステップＳ２０８に進む。一方、制御部ｂ１２がＣＱＩ配置可能制御チャネルが割り当てられた上りリンクサブフレームでないと判定した場合（ＮＯ）、ステップＳ２０９に進む。
【０１６５】
（ステップＳ２０４）制御部ｂ１２は、上りリンクサブフレームＳの上りリンク要素周波数帯域ｎがＳＲ配置可能制御チャネルが割り当てられた上りリンク要素周波数帯域であるか否かを判定する。例えば、制御部ｂ１２は、ＳＲ配置可能制御チャネルが割り当てられた上りリンク要素周波数帯域を予め記憶しておき、記憶した情報に基づきＳＲ配置可能制御チャネルが割り当てられた上りリンク要素周波数帯域であるか否かを判定する。
制御部ｂ１２がＳＲ配置可能制御チャネルが割り当てられた上りリンク要素周波数帯域であると判定した場合、ステップＳ２０５に進む。一方、制御部ｂ１２がＳＲ配置可能制御チャネルが割り当てられた上りリンク要素周波数帯域でないと判定した場合、ステップＳ２０６に進む。
【０１６６】
（ステップＳ２０５）サブキャリアマッピング部ｂ１４１６は、スケジュール要求ＳＲを、上りリンク要素周波数帯域ｎのＳＲ配置可能制御チャネルに配置して送信する。この場合、サブキャリアマッピング部ｂ１４１６は、上りリンクサブフレームＳにおいて、スケジュール要求ＳＲを配置する上りリンク要素周波数帯域ｎに下りリンク要素周波数帯域ｍＣＱＩを配置しない。
【０１６７】
（ステップＳ２０６）サブキャリアマッピング部ｂ１４１６は、下りリンク要素周波数帯域ｍＣＱＩを、上りリンクサブフレームＳの上りリンク要素周波数帯域ｎのＣＱＩ配置可能制御チャネルｎに配置して送信する。
（ステップＳ２０７）サブキャリアマッピング部ｂ１４１６は、スケジュール要求ＳＲを、上りリンクサブフレームＳのＳＲ配置可能制御チャネルに配置して送信する。
【０１６８】
（ステップＳ２０８）サブキャリアマッピング部ｂ１４１６は、下りリンク要素周波数帯域ｍＣＱＩを、上りリンクサブフレームＳのＣＱＩ配置可能制御チャネルｎに配置して送信する。この場合、サブキャリアマッピング部ｂ１４１６は、上りリンクサブフレームＳにおいて、下りリンク要素周波数帯域ｍＣＱＩを配置する上りリンク要素周波数帯域ｎにスケジュール要求ＳＲを配置しない。
【０１６９】
（ステップＳ２０９）サブキャリアマッピング部ｂ１４１６は、その他以外の制御データ（例えば、受信応答ＡＣＫ／ＮＡＣＫ）を配置する場合は、その制御データを制御チャネルに配置して送信する。又は、サブキャリアマッピング部ｂ１４１６は、送信する制御データがない場合、或いは、送信する制御データの制御チャネルが上りリンクサブフレームＳに割り当てられていない場合、制御データを配置しない。
ステップS２０５〜Ｓ２０９の後、移動局装置ｂ１は図１８に示す動作を終了する。
【０１７０】
このように、本実施形態によれば、無線通信システム１は、移動局装置ｂ１がＣＱＩ配置対応付け情報を、予め定めた対応付け切替周期ＴＣの経過前後で対応付けが異なるＣＱＩ配置対応付け情報に決定するので、移動局装置ｂ１が上りリンク要素周波数帯域ｎに対応付け切替周期ＴＣの経過前後で異なる下りリンク要素周波数帯域ｍの受信品質を示すチャネル品質指標を配置して送信することができる。これにより、一の上りリンク要素周波数帯域ｎでスケジューリング要求ＳＲを配置する場合等によりチャネル品質指標ＣＱＩを送信できない場合であっても、他の上りリンク要素周波数帯域ｎに対応付け切替周期の経過前後で異なる下りリンク要素周波数帯域ｍの受信品質を示すチャネル品質指標を配置して送信することができ、基地局装置ａ１が、全ての下りリンク要素周波数帯域ｍのチャネル品質指標に基づいて、全ての下り要素周波数帯域ｍについて確実な周波数スケジューリング、適応変調、及び符号化を行うことができる。
【０１７１】
また、本実施形態によれば、無線通信システム１は、基地局装置ａ１がＣＱＩ配置対応付けを切り替えるか否かを制御することができ、例えば、基地局装置ａ１と移動局装置ｂ１との通信に用いる下りリンク要素周波数帯域の数が１個の場合にＣＱＩ配置対応付けを切り替えないように制御をすることができる。これにより、無線通信システム１は、ＣＱＩ配置対応付けを切り替えることにより通信に用いない下りリンク要素周波数帯域ｍのチャネル品質指標が送信されることを防止することができ、通信に用いる下りリンク要素周波数帯域ｍのチャネル品質指標の伝送効率が低下することを防止することができる。
【０１７２】
また、本実施形態によれば、無線通信システム１は、基地局装置ａ１が対応付け切替周期ＴＣを示す情報を生成するので、移動局装置ｂ１において対応付け切替周期ＴＣを算出することなく確実にチャネル品質指標対応付けを切り替えることでき、移動局装置ｂ１が行う処理を軽減することができる。
【０１７３】
また、本実施形態によれば、無線通信システム１は、移動局装置ｂ１がＣＱＩ配置可能制御チャネルが割り当てられた上りリンク要素周波数帯域及び時間帯域と、ＳＲ配置可能制御チャネルが割り当てられた上りリンク要素周波数帯域及び時間帯域と、が同じ上りリンク要素周波数帯域及び時間帯域である場合、当該上りリンク要素周波数帯域及び時間帯域の無線リソースには、チャネル品質指標ＣＱＩを配置しないので、スケジューリング要求ＳＲを迅速かつ確実に送信することができ、前記移動局装置での情報データあふれによる情報データの損失等を防止することができる。
【０１７４】
上記構成によると、無線通信システム１は、移動局装置ｂ１がスケジューリング要求ＳＲを生成したとき、ＣＱＩ配置可能制御チャネルが割り当てられた上りリンク要素周波数帯域及び時間帯域と、ＳＲ配置可能制御チャネルが割り当てられた上りリンク要素周波数帯域及び時間帯域と、が同じ上りリンク要素周波数帯域及び時間帯域である場合、当該上りリンク要素周波数帯域及び時間帯域の無線リソースに生成したスケジューリング要求ＳＲを配置し、チャネル品質指標ＣＱＩを配置しないので、スケジューリング要求ＳＲを迅速かつ確実に送信することができ、前記移動局装置での情報データあふれによる情報データの損失等を防止することができる。
【０１７５】
なお、上記実施形態において、基地局装置ａ１は、対応付け切替周期ＴＣをＣＱＩ配置可能周期Ｔ１とＳＲ配置可能周期Ｔ２との最小公倍数に設定したが、本発明はこれに限らず、他の値でもよい。
【０１７６】
また、上記実施形態において、要素周波数帯域数ＮがＮ＝３の場合の一例について説明したが、本発明はこれに限られない。
例えば、基地局装置ａ１及び移動局装置ｂ１は、任意の要素周波数帯域数Ｎに対して、図１９に示すＣＱＩ配置対応付け情報を記憶してもよい。
【０１７７】
図１９は、本実施形態に係るＣＱＩ配置対応付け情報の別の一例を示す図である。
図示するように、ＣＱＩ配置対応付け情報は、行と列からなる２次元の表形式のデータであり、ＣＱＩ配置可能制御チャネル、第１周期、第２周期、・・・、及び第Ｎ周期の各項目の列を有している。ここで、第１周期、第２周期、・・・、及び第Ｎ周期の項目は、それぞれ、無線フレームでの対応付け切替周期ＴＣの第１周期、第２周期、・・・、及び第Ｎ周期において、ＣＱＩ配置可能制御チャネルに対応する下りリンク要素周波数帯域ＣＱＩを示す。ここで、第ｚ周期は、上記の式（１）で表わされる。
【０１７８】
例えば、図１９は、第１周期において、ＣＱＩ配置可能制御チャネル１、２、・・・、Ｎ−１、Ｎに対して、それぞれ、下りリンク要素周波数帯域１、２、・・・、Ｎ−１、ＮＣＱＩが対応付けられていることを示す。また、図１９は、第２周期において、ＣＱＩ配置可能制御チャネル１、２、・・・、Ｎ−１、Ｎに対して、それぞれ、下りリンク要素周波数帯域２、３、・・・、Ｎ、１ＣＱＩが対応付けられていることを示す。
このように、ＣＱＩ配置対応付け情報は、対応付け切替周期ＴＣ毎にＣＱＩ配置対応付けが切り替えられていることを示す。
【０１７９】
また、例えば、以下の式（２）で示すｙを用いて、ＣＱＩ配置可能制御チャネルｎと、ＣＱＩ配置可能制御チャネルｎに配置する下りリンク要素周波数帯域ｙＣＱＩと、が対応付けられるようなＣＱＩ配置対応付けを用いてもよい。
【０１８０】
【数２】
2010212892.tif 000004
【０１８１】
ただし、（Ａ  ｍｏｄ  Ｂ）はＡをＢで除算した余りを示し、ｔはｓ／ＴＣ以下の最大の整数、ｓは上りリンクサブフレーム番号、ｍは下りリンク要素周波数帯域の番号、Ｎは要素周波数帯域数を示す。
【０１８２】
また、上記実施形態において、巡回周波数シフトでは、上りリンク要素周波数帯域ｎと下りリンク要素周波数帯域ｍＣＱＩとの対応付けを、前記対応付け切替周期ＴＣの経過後に、上りリンク要素周波数帯域ｎと下りリンク要素周波数帯域ｍ＋１ＣＱＩとの対応付けに切替える場合について説明したが、本発明はこれに限らず、上りリンク要素周波数帯域ｎと下りリンク要素周波数帯域ｍ−１ＣＱＩとの対応付けに切替えてもよい。
【０１８３】
図２０は、本実施形態に係るＣＱＩ配置対応付け情報の別の一例を示す図である。図示するように、ＣＱＩ配置対応付け情報は、行と列からなる２次元の表形式のデータであり、ＣＱＩ配置可能制御チャネル、第１周期、第２周期、・・・、及び第Ｎ周期の各項目の列を有している。例えば、図２０は、第１周期において、ＣＱＩ配置可能制御チャネル１、２、・・・、Ｎ−１、Ｎに対して、それぞれ、下りリンク要素周波数帯域１、２、・・・、Ｎ−１、ＮＣＱＩが対応付けられていることを示す。また、図２０は、第２周期において、ＣＱＩ配置可能制御チャネル１、２、・・・、Ｎ−１、Ｎに対して、それぞれ、下りリンク要素周波数帯域Ｎ、１、・・・、Ｎ−２、Ｎ−１ＣＱＩが対応付けられていることを示す。
【０１８４】
また、上記実施形態において、下りリンク要素周波数帯域の数と上りリンク要素周波数帯域の数は同じＮであったが、本発明はこれに限らず、異なる値であってもよい。以下、下りリンク要素周波数帯域の数をＭ、上りリンク要素周波数帯域の数をＮとして、この場合のＣＱＩ配置対応付け情報の一例について説明をする。
【０１８５】
まず、ＭがＮより大きい場合（Ｍ＝ｃ＋Ｎ−１；ｃは自然数）について説明をする。
図２１は、本実施形態に係るＣＱＩ配置対応付け情報の別の一例を示す図である。図示するように、ＣＱＩ配置対応付け情報は、行と列からなる２次元の表形式のデータであり、ＣＱＩ配置可能制御チャネル、第１周期、第２周期、・・・、及び第Ｍ周期の各項目の列を有している。例えば、図２１は、第１周期において、ＣＱＩ配置可能制御チャネル１、２、・・・、Ｎ−１、Ｎに対して、それぞれ、下りリンク要素周波数帯域１、２、・・・、Ｎ−１、ＮＣＱＩが対応付けられていることを示す。また、図２１は、第ｃ周期において、ＣＱＩ配置可能制御チャネル１、２、・・・、Ｎ−１、Ｎに対して、それぞれ、下りリンク要素周波数帯域ｃ、ｃ＋１、・・・、ｃ＋Ｎ−２、ｃ＋Ｎ−１ＣＱＩが対応付けられていることを示す。
【０１８６】
次に、ＭがＮより小さい場合について説明をする。
図２２は、本実施形態に係るＣＱＩ配置対応付け情報の別の一例を示す図である。図示するように、ＣＱＩ配置対応付け情報は、行と列からなる２次元の表形式のデータであり、ＣＱＩ配置可能制御チャネル、第１周期、第２周期、・・・、及び第Ｍ周期の各項目の列を有している。例えば、図２２は、第１周期において、ＣＱＩ配置可能制御チャネル１、２、・・・、Ｍ，Ｍ＋１、・・・Ｎ−１、Ｎに対して、それぞれ、下りリンク要素周波数帯域１、２、・・・、Ｍ，１、・・・Ｎ−Ｍ−１、Ｎ―ＭＣＱＩが対応付けられていることを示す。また、図２２は、第２周期において、ＣＱＩ配置可能制御チャネル１、２、・・・、Ｍ，Ｍ＋１、・・・Ｎ−１、Ｎに対して、それぞれ、下りリンク要素周波数帯域２、３、・・・、１，２、・・・Ｎ−Ｍ、Ｎ―Ｍ＋１ＣＱＩが対応付けられていることを示す。
【０１８７】
また、上記実施形態において、移動局装置ｂ１は、対応付け切替周期ＴＣ毎に巡回周波数シフトさせたＣＱＩ配置対応付けに切り替えを行う場合について説明をしたが、本発明はこれに限られない。例えば、上りリンクサブフレームの番号、ＣＱＩ配置可能制御チャネルを割り当てた上りリンク要素周波数帯域ｎ、配置するチャネル品質指標ＣＱＩが受信品質を示す下りリンク要素周波数帯域ｍ、のいずれか又は全部に基づくランダム関数を用いてＣＱＩ配置対応付けを決定し、対応付け切替周期ＴＣ毎に決定したＣＱＩ配置対応付けに切り替えを行ってもよい。
このように、基地局装置ａ１は、ＳＲ配置可能制御チャネルが配置される上りリンク要素周波数帯域ｎであって、ＳＲ配置可能制御チャネルが配置されない上りリンクサブフレームの上りリンク要素周波数帯域ｎに、異なる下りリンク要素周波数帯域ｍＣＱＩを配置するように、対応付け切替周期ＴＣの設定又はＣＱＩ配置対応付けの決定をすればよい。
【０１８８】
また、上記実施形態において、基地局装置ａ１又は移動局装置ｂ１は、ＣＱＩ配置対応付け情報（図８）を、装置の製造時に記憶してもよいし、製造後の更新処理により更新して記憶してもよいし、また、基地局装置ａ１と移動局装置ｂ１が通信することにより、一方の装置が記憶するＣＱＩ配置対応付け情報を他方の装置に通知して双方の装置が記憶してもよい。
また、上記実施形態において、双方の装置が予め記憶するＣＱＩ配置対応付け情報（図８）に基づいてＣＱＩ配置対応付けの切り替えを行う場合について説明したが、本発明はこれに限られない。例えば、双方の装置が式（２）を記憶し、式（２）に基づいて下りリンク要素周波数帯域ｍＣＱＩを配置することにより、ＣＱＩ配置対応付けの切り替えを行ってもよい。
【０１８９】
また、上記実施形態において、サブキャリアマッピング部ｂ１４１６は、上りリンク制御データ生成部ｂ１２２がスケジューリング要求ＳＲを生成したとき、ＣＱＩ配置可能制御チャネルが割り当てられた上りリンク要素周波数帯域ｎ及び上りリンクサブフレームと、ＳＲ配置可能制御チャネルが割り当てられた上りリンク要素周波数帯域ｎ及び上りリンクサブフレームと、が同じ上りリンク要素周波数帯域ｎ及び上りリンクサブフレームである場合、当該上りリンク要素周波数帯域ｎ及び上りリンクサブフレームの無線リソースには、チャネル品質指標ＣＱＩを配置しない構成について説明をした。しかし、本発明はこれに限らず、サブキャリアマッピング部ｂ１４１６（送信処理部ｂ１４）は、ＣＱＩ配置可能制御チャネルが割り当てられた上りリンク要素周波数帯域ｎ及び上りリンクサブフレームと、ＳＲ配置可能制御チャネルが割り当てられた上りリンク要素周波数帯域ｎ及び上りリンクサブフレームと、が同じ上りリンク要素周波数帯域ｎ及び上りリンクサブフレームである場合、当該上りリンク要素周波数帯域ｎ及び上りリンクサブフレームの無線リソースには、チャネル品質指標ＣＱＩを配置しない構成であってもよい。
【０１９０】
なお、上述した実施形態における基地局装置ａ１、移動局装置ｂ１部、例えば、上りリンク制御チャネル配置決定部ａ１２１、上りリンク制御チャネル検出制御部ａ１３１、チャネル品質指標対応付け切替部ｂ１２１、上りリンク制御データ生成部ｂ１２２、受信品質測定部ｂ１１１７、下りリンク共有データチャネル復号部ｂ１１３、上りリンク制御チャネル処理部ｂ１４１５、及びサブキャリアマッピング部ｂ１４１６をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局装置ａ１、移動局装置ｂ１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１９２】
１・・・無線通信システム、ＢＳ１、ａ１・・・基地局装置、ＵＥ１、ＵＥ２、ｂ１・・・移動局装置、ＵＥ３・・・移動局装置、ａ１１・・・受信処理部、ａ１２・・・無線リソース制御部、ａ１３・・・制御部、ａ１４・・・送信処理部、ａ１２１・・・上りリンク制御チャネル配置決定部、ａ１３１・・・上りリンク制御チャネル検出制御部、ａ１５１・・・送信アンテナ、ａ１５２・・・受信アンテナ、ａ１４１−１〜ａ１４１−ｉ・・・下りリンク共有データチャネル処理部、ａ１４２−１〜ａ１４２−ｊ・・・下りリンク制御チャネル処理部、ａ１４３１・・・下りリンクパイロットチャネル処理部、ａ１４３２・・・多重部、ａ１４３３・・・ＩＦＦＴ部、ａ１４３４・・・ＧＩ挿入部、ａ１４３５・・・Ｄ／Ａ部、送信ＲＦ部・・・ａ１４３６、ａ１４１１・・・ターボ符号部、ａ１４１２・・・データ変調部、ａ１４２１・・・畳み込み符号部、ａ１４２２・・・ＱＰＳＫ変調部、ａ１１１１・・・受信ＲＦ部、ａ１１１２・・・Ａ／Ｄ部、ａ１１１３・・・要素周波数帯域分離部、ａ１１−１〜ａ１１−Ｎ・・・上りリンク要素周波数帯域毎受信処理部、ａ１１２１・・・シンボルタイミング検出部、ａ１１２２・・・ＧＩ除去部、ａ１１２３・・・ＦＦＴ部、ａ１１２４・・・サブキャリアデマッピング部、ａ１１２５・・・伝搬路推定部、ａ１１２６・・・伝搬路等化部、ａ１１２７・・・上りリンク制御チャネル検出部、ａ１１２８・・・伝搬路等化部、ａ１１２９・・・ＩＤＦＴ部、データ復調部・・・ａ１１３０、ａ１１３１・・・ターボ復号部、ｂ１１・・・受信処理部、ｂ１２・・・制御部、ｂ１３・・・バッファ、ｂ１４・・・送信処理部、ｂ１２１・・・チャネル品質指標対応付け切替部、ｂ１２２・・・上りリンク制御データ生成部、ｂ１５１・・・受信アンテナ、ｂ１５２・・・送信アンテナ、ｂ１１１１・・・受信ＲＦ部、ｂ１１１２・・・Ａ／Ｄ部、ｂ１１１３・・・シンボルタイミング検出部、ｂ１１１４・・・ＧＩ除去部、ｂ１１１５・・・ＦＦＴ部、ｂ１１１６・・・多重分離部、ｂ１１１７・・・受信品質測定部、ｂ１１１８・・・伝搬路推定部、ｂ１１１９・・・伝搬路補償部、ｂ１１２０・・・伝搬路補償部、ｂ１１３・・・下りリンク共有データチャネル復号部ｂ１１３・・・下りリンク制御チャネル復号部、ｂ１１３１・・・データ復調部、ｂ１１３２・・・ターボ復号部、ｂ１１４１・・・ＱＰＳＫ復調部、ｂ１１４２・・・ビタビデコーダ部、ｂ１４１−１〜ｂ１４１−Ｎ・・・上りリンク要素周波数帯域毎送信処理部、ｂ１４２１・・・要素周波数帯域合成部、ｂ１４２２・・・Ｄ／Ａ部、ｂ１４２３・・・送信ＲＦ部、ｂ１４１１・・・ターボ符号部、ｂ１４１２・・・データ変調部、ｂ１４１３・・・ＤＦＴ部、ｂ１４１４・・・上りリンクパイロットチャネル処理部、ｂ１４１５・・・上りリンク制御チャネル処理部、ｂ１４１６・・・サブキャリアマッピング部、ｂ１４１７・・・ＩＦＦＴ部、ｂ１４１８・・・ＧＩ挿入部
【図１】
2010212892.tif 000005
【図２】
2010212892.tif 000006
【図３】
2010212892.tif 000007
【図４】
2010212892.tif 000008
【図５】
2010212892.tif 000009
【図６】
2010212892.tif 000010
【図７】
2010212892.tif 000011
【図８】
2010212892.tif 000012
【図９】
2010212892.tif 000013
【図１０】
2010212892.tif 000014
【図１１】
2010212892.tif 000015
【図１２】
2010212892.tif 000016
【図１３】
2010212892.tif 000017
【図１４】
2010212892.tif 000018
【図１５】
2010212892.tif 000019
【図１６】
2010212892.tif 000020
【図１７】
2010212892.tif 000021
【図１８】
2010212892.tif 000022
【図１９】
2010212892.tif 000023
【図２０】
2010212892.tif 000024
【図２１】
2010212892.tif 000025
【図２２】
2010212892.tif 000026
【図２３】
2010212892.tif 000027
【図２４】
2010212892.tif 000028